(57)【特許請求の範囲】
【請求項１】
ワイヤレスネットワーク中でポジショニングプロトコルのメッセージを通信する方法において、
基地局に関係付けられているポジショニングプロトコルのメッセージを発生させることと、
前記基地局に関係付けられているネットワークエリア識別子を決定することと、
前記ネットワークエリア識別子に少なくとも部分的に基づいて、中間ネットワークノードに前記メッセージを配信することと
を含む方法。
【請求項２】
前記基地局の識別子を決定することをさらに含み、前記ネットワークエリア識別子を決定することは、前記基地局の前記識別子に少なくとも部分的に基づいている請求項１記載の方法。
【請求項３】
前記基地局の前記識別子を前記基地局から受信することをさらに含む請求項２記載の方法。
【請求項４】
前記ネットワークエリア識別子への、前記基地局の前記識別子のマッピングを記憶することをさらに含み、前記ネットワークエリア識別子を決定することは、前記マッピングに少なくとも部分的に基づいている請求項２記載の方法。
【請求項５】
前記中間ネットワークノードに前記メッセージを配信することは、前記メッセージに前記ネットワークエリア識別子を含めることをさらに含む請求項２記載の方法。
【請求項６】
前記中間ネットワークノードは、移動性管理エンティティであり、前記ポジショニングプロトコルは、ロングタームエボリューションポジショニングプロトコルアネックスである請求項１記載の方法。
【請求項７】
ワイヤレスネットワーク中でポジショニングプロトコルのメッセージをルーティングする装置において、
基地局に関係付けられているポジショニングプロトコルのメッセージを発生させるようにと、
前記基地局に関係付けられているネットワークエリア識別子を決定するようにと、
前記ネットワークエリア識別子に少なくとも部分的に基づいて、中間ネットワークノードに前記メッセージを提供するように構成されている少なくとも１つのプロセッサと、
前記少なくとも１つのプロセッサに結合されているメモリと
を具備する装置。
【請求項８】
前記少なくとも１つのプロセッサは、前記メッセージに関連する前記基地局の識別子を決定するようにさらに構成され、前記少なくとも１つのプロセッサは、前記基地局の前記識別子に少なくとも部分的に基づいて、前記ネットワークエリア識別子を決定する請求項７記載の装置。
【請求項９】
前記少なくとも１つのプロセッサは、前記基地局の前記識別子を前記基地局から受信するようにさらに構成されている請求項８記載の装置。
【請求項１０】
前記少なくとも１つのプロセッサは、前記ネットワークエリア識別子への、前記基地局の前記識別子の記憶されているマッピングに少なくとも部分的に基づいて、前記ネットワークエリア識別子を決定する請求項８記載の装置。
【請求項１１】
前記少なくとも１つのプロセッサは、前記メッセージ中に前記ネットワークエリア識別子を含めるようにさらに構成されている請求項８記載の装置。
【請求項１２】
前記中間ネットワークノードは、移動性管理エンティティであり、前記ポジショニングプロトコルは、ロングタームエボリューションポジショニングプロトコルアネックスである請求項７記載の装置。
【請求項１３】
ワイヤレスネットワーク中でポジショニングプロトコルのメッセージをルーティングする装置において、
基地局に関係付けられているポジショニングプロトコルのメッセージを発生させる手段と、
前記基地局に関係付けられているネットワークエリア識別子を決定する手段と、
前記ネットワークエリア識別子に少なくとも部分的に基づいて、中間ネットワークノードに前記メッセージを配信する手段と
を具備する装置。
【請求項１４】
前記決定する手段は、さらに、前記メッセージに関連する前記基地局の識別子を決定し、前記基地局の前記識別子に少なくとも部分的に基づいて、前記ネットワークエリア識別子を決定する請求項１３記載の装置。
【請求項１５】
前記基地局の前記識別子を前記基地局から受信する手段をさらに具備する請求項１４記載の装置。
【請求項１６】
前記決定する手段は、前記ネットワークエリア識別子への、前記基地局の前記識別子のマッピングを記憶し、前記マッピングに少なくとも部分的に基づいて、前記ネットワークエリア識別子を決定する請求項１４記載の装置。
【請求項１７】
前記配信する手段は、さらに、前記メッセージに前記ネットワークエリア識別子を含める請求項１４記載の装置。
【請求項１８】
前記中間ネットワークノードは、移動性管理エンティティであり、前記ポジショニングプロトコルは、ロングタームエボリューションポジショニングプロトコルアネックスである請求項１３記載の装置。
【請求項１９】
ワイヤレスネットワーク中でポジショニングプロトコルのメッセージをルーティングするコンピュータプログラムを記憶したコンピュータ読取可能記憶媒体において、
前記コンピュータプログラムは、
少なくとも１つのコンピュータに、基地局に関係付けられているポジショニングプロトコルのメッセージを発生させるためのコードと、
前記少なくとも１つのコンピュータに、前記基地局に関係付けられているネットワークエリア識別子を決定させるためのコードと、
前記少なくとも１つのコンピュータに、前記ネットワークエリア識別子に少なくとも部分的に基づいて、中間ネットワークノードに前記メッセージを提供させるためのコードと
を含むコンピュータ読取可能記憶媒体。
【請求項２０】
前記コンピュータプログラムは、
前記少なくとも１つのコンピュータに、前記メッセージに関連する前記基地局の識別子を決定させるためのコードをさらに含み、
前記少なくとも１つのコンピュータに決定させるためのコードは、前記基地局の前記識別子に少なくとも部分的に基づいて、前記ネットワークエリア識別子を決定する請求項１９記載のコンピュータ読取可能記憶媒体。
【請求項２１】
前記コンピュータプログラムは、前記少なくとも１つのコンピュータに、前記基地局の前記識別子を前記基地局から受信させるためのコードをさらに含む請求項２０記載のコンピュータ読取可能記憶媒体。
【請求項２２】
前記コンピュータプログラムは、前記少なくとも１つのコンピュータに、前記ネットワークエリア識別子への、前記基地局の前記識別子のマッピングを記憶させるためのコードをさらに含み、
前記少なくとも１つのコンピュータに決定させるためのコードは、前記マッピングに少なくとも部分的に基づいて、前記ネットワークエリア識別子を決定する請求項２０記載のコンピュータ読取可能記憶媒体。
【請求項２３】
前記コンピュータプログラムは、前記少なくとも１つのコンピュータに、前記メッセージ中に前記ネットワークエリア識別子を含めさせるためのコードをさらに含む請求項２０記載のコンピュータ読取可能記憶媒体。
【請求項２４】
前記中間ネットワークノードは、移動性管理エンティティであり、前記ポジショニングプロトコルは、ロングタームエボリューションポジショニングプロトコルアネックスである請求項１９記載のコンピュータ読取可能記憶媒体。
【請求項２５】
ワイヤレスネットワーク中でポジショニングプロトコルのメッセージをルーティングする装置において、
基地局に関係付けられているポジショニングプロトコルのメッセージを発生させるメッセージコンポーネントと、
前記基地局に関係付けられているネットワークエリア識別子を見分けるネットワークエリア識別子決定コンポーネントと、
前記ネットワークエリア識別子に少なくとも部分的に基づいて、中間ネットワークノードに前記メッセージを配信するメッセージルーティングコンポーネントと
を具備する装置。
【請求項２６】
前記ネットワークエリア識別子決定コンポーネントは、さらに、前記メッセージに関連する前記基地局の識別子を決定し、前記基地局の前記識別子に少なくとも部分的に基づいて、前記ネットワークエリア識別子を見分ける請求項２５記載の装置。
【請求項２７】
前記基地局の前記識別子を前記基地局から取得するネットワークエリア識別子受信コンポーネントをさらに具備する請求項２６記載の装置。
【請求項２８】
前記ネットワークエリア識別子決定コンポーネントは、さらに、前記ネットワークエリア識別子への、前記基地局の前記識別子のマッピングを記憶し、前記マッピングに少なくとも部分的に基づいて、前記ネットワークエリア識別子を決定する請求項２６記載の装置。
【請求項２９】
前記メッセージルーティングコンポーネントは、さらに、前記メッセージに前記ネットワークエリア識別子を含める請求項２６記載の装置。
【請求項３０】
前記中間ネットワークノードは、移動性管理エンティティであり、前記ポジショニングプロトコルは、ロングタームエボリューションポジショニングプロトコルアネックスである請求項２５記載の装置。
【発明の詳細な説明】
【合衆国法典第３５部第１１９条の下での優先権の主張】
【０００１】
本特許出願は、“ポジショニングメッセージのエリアベースルーティングのトラッキング”と題され、２０１０年１月８日に出願され、この出願の譲受人に譲渡され、ここでの参照によりここに明確に組み込まれている仮出願番号第６１／２９３，５３４号に対して優先権を主張する。
【分野】
【０００２】
以下の説明は、一般的に、ワイヤレスネットワーク通信に関し、さらに詳細には、ネットワークノードにわたって、ポジショニングプロトコルのメッセージをルーティングすることに関する。
【背景】
【０００３】
ワイヤレス通信システムは、例えば、音声、データ等のような、さまざまなタイプの通信コンテンツを提供するように、幅広く展開されている。典型的なワイヤレス通信システムは、利用可能なシステムリソース（例えば、帯域幅、送信電力,...）を共有することにより、複数のユーザとの通信をサポートすることが可能な多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および、これらに類似するものを含んでもよい。さらに、システムは、第三世代パートナーシッププロジェクト（３ＧＧＰ）、３ＧＰＰロングタームエボリューション（ＬＴＥ）、ウルトラモバイルブロードバンド（ＵＭＢ）、ｅｖｏｌｕｔｉｏｎ ｄａｔａ ｏｐｔｉｍｉｚｅｄ（ＥＶ−ＤＯ）等のような規格に準拠することがある。
【０００４】
一般的に、ワイヤレス多元接続通信システムは、複数の移動デバイスに対する通信を同時にサポートできる。各移動デバイスは、フォワードリンク上およびリバースリンク上での送信を介して、１つ以上の基地局と通信できる。フォワードリンク（または、ダウンリンク）は、基地局から移動デバイスへの通信リンクのことを指し、リバースリンク（または、アップリンク）は、移動デバイスから基地局への通信リンクのことを指す。さらに、移動デバイスと基地局との間の通信は、単一入力単一出力（ＳＩＳＯ）システム、複数入力単一出力（ＭＩＳＯ）システム、複数入力複数出力（ＭＩＭＯ）システム等を介して、確立されてもよい。加えて、ピア・ツー・ピアワイヤレスネットワークコンフィギュレーションにおいて、移動デバイスは、他の移動デバイスと（および／または、基地局は、他の基地局と）通信することができる。
【０００５】
加えて、デバイスは、支援型グローバルポジショニングシステム（ＧＰＳ）、ｏｂｓｅｒｖｅｄ ｔｉｍｅ ｄｉｆｆｅｒｅｎｃｅ ｏｆ ａｒｒｉｖａｌ（ＯＴＤＯＡ）または１つ以上の基地局を伴う他の三角測量技術、エンハンストセル識別子（Ｅ−ＣＩＤ）、ならびに／あるいは、これらに類似するものを利用することにより少なくとも部分的に、ポジショニングを決定できる。例えば、サービングモバイルロケーションセンター（ＳＭＬＣ）や、進化型ＳＭＬＣ（ｅＳＭＬＣ）等のような、ポジショニングサーバは、デバイスのポジションを計算するためのこのような測定の実行を促進するために、ＬＴＥポジショニングプロトコル（ＬＰＰ）、ＬＰＰアネックス（LPP annex）（ＬＰＰａ）等を通して、デバイスにおよび／またはネットワーク中の他のノードに、ポジショニングメッセージを提供できる。１つの例では、ポジショニングメッセージは、１つ以上の基地局のロケーションのような、支援情報を含むことがある。この点で、デバイスによりポジショニングメッセージが要求されることがあり、要求は、少なくとも基地局および移動性管理エンティティ（ＭＭＥ）を通してポジショニングサーバにルーティングされる。したがって、ポジショニングサーバは、要求に少なくとも部分的に基づいて、移動性管理エンティティ（ＭＭＥ）および関連する基地局を通して、対応するポジショニングメッセージをデバイスにルーティングすることができる。
【概要】
【０００６】
以下のものは、１つ以上の態様の基本的な理解を提供するために、このような態様の簡略化した概要を提示する。この概要は、すべての考えられる態様の広範囲にわたる概略ではなく、すべての態様のキーエレメントまたは重要なエレメントを識別することや、何らかの態様のまたはすべての態様の範囲を線引きすることのどちらも意図していない。この唯一の目的は、後に提示するさらに詳細な説明に対する前置きとして、１つ以上の態様のうちのいくつかの概念を、簡略化した形で提示することである。
【０００７】
１つ以上の実施形態およびそれらの対応する開示にしたがって、ポジショニングプロトコルのメッセージをルーティングするために、基地局識別子へのネットワークエリア識別子のマッピングのポジショニングサーバにおける利用を促進することに関連して、さまざまな態様を説明する。この点で、ポジショニングサーバは、移動性管理エンティティ（ＭＭＥ）のような、中間ネットワークノードを通して、特定のデバイスに関係付けられていない基地局に対して、適切にメッセージをルーティングすることができる。別の例では、中間ネットワークノードと基地局との間の可能性あるゲートウェイノードを中間ネットワークノードが識別し、それにしたがって、ゲートウェイノードにメッセージをルーティングして、基地局に提供できるように、ポジショニングサーバは、メッセージ中にネットワークエリア識別子を含めることができる。ポジショニングサーバは、メッセージが特定のデバイスに関係付けられているか否かにかかわらず、メッセージ中にネットワークエリア識別子を含めることができることを正しく認識すべきである。加えて、この例では、中間ネットワークノードは、ゲートウェイノードへのメッセージ中に、基地局の識別子を含めることができる。
【０００８】
例にしたがうと、基地局に関係付けられているポジショニングプロトコルのメッセージを発生させることと、基地局に関係付けられているネットワークエリア識別子を決定することとを含む、ワイヤレスネットワーク中でポジショニングプロトコルのメッセージを通信する方法が提供されている。方法は、ネットワークエリア識別子に少なくとも部分的に基づいて、中間ネットワークノードにメッセージを配信することをさらに含む。
【０００９】
別の態様では、基地局に関係付けられているポジショニングプロトコルのメッセージを発生させるようにと、基地局に関係付けられているネットワークエリア識別子を決定するように構成されている少なくとも１つのプロセッサを具備する、ワイヤレスネットワーク中でポジショニングプロトコルのメッセージをルーティングする装置が提供されている。少なくとも１つのプロセッサは、ネットワークエリア識別子に少なくとも部分的に基づいて、中間ネットワークノードにメッセージを提供するようにさらに構成されている。加えて、装置は、少なくとも１つのプロセッサに結合されているメモリを具備する。
【００１０】
さらに別の態様では、基地局に関係付けられているポジショニングプロトコルのメッセージを発生させる手段と、基地局に関係付けられているネットワークエリア識別子を決定する手段とを具備する、ワイヤレスネットワーク中でポジショニングプロトコルのメッセージをルーティングする装置が提供されている。装置は、ネットワークエリア識別子に少なくとも部分的に基づいて、中間ネットワークノードにメッセージを配信する手段をさらに具備する。
【００１１】
さらに、別の態様では、少なくとも１つのコンピュータに、基地局に関係付けられているポジショニングプロトコルのメッセージを発生させるためのコードと、少なくとも１つのコンピュータに、基地局に関係付けられているネットワークエリア識別子を決定させるためのコードと有するコンピュータ読取可能媒体を具備する、ワイヤレスネットワーク中でポジショニングプロトコルのメッセージをルーティングするコンピュータプログラムプロダクトが提供されている。コンピュータ読取可能媒体は、少なくとも１つのコンピュータに、ネットワークエリア識別子に少なくとも部分的に基づいて、中間ネットワークノードにメッセージを提供させるためのコードをさらに含む。
【００１２】
さらに、ある態様では、基地局に関係付けられているポジショニングプロトコルのメッセージを発生させるメッセージコンポーネントと、基地局に関係付けられているネットワークエリア識別子を見分けるネットワークエリア識別子決定コンポーネントとを具備する、ワイヤレスネットワーク中でポジショニングプロトコルのメッセージをルーティングする装置が提供されている。装置は、ネットワークエリア識別子に少なくとも部分的に基づいて、中間ネットワークノードにメッセージを配信するメッセージルーティングコンポーネントをさらに具備する。
【００１３】
別の例にしたがうと、ポジショニングプロトコルのメッセージ中で、基地局に関連するネットワークエリア識別子を受信することと、ネットワークエリア識別子に少なくとも部分的に基づいて、ゲートウェイが存在するか否かを決定することとを含む、ワイヤレスネットワーク中でポジショニングプロトコルのメッセージをルーティングするための方法が提供されている。方法は、ゲートウェイが存在するか否かに少なくとも部分的に基づいて、ネットワークノードにメッセージを配信することをさらに含む。
【００１４】
別の態様では、ポジショニングプロトコルのメッセージ中で、基地局に関連するネットワークエリア識別子を受信するようにと、ネットワークエリア識別子に少なくとも部分的に基づいて、ゲートウェイが存在するか否かを決定するように構成されている少なくとも１つのプロセッサを具備する、ワイヤレスネットワーク中でポジショニングプロトコルのメッセージをルーティングする装置が提供されている。少なくとも１つのプロセッサは、ゲートウェイが存在するか否かに少なくとも部分的に基づいて、ネットワークノードにメッセージを提供するようにさらに構成されている。加えて、装置は、少なくとも１つのプロセッサに結合されているメモリを具備する。
【００１５】
さらに別の態様では、ポジショニングプロトコルのメッセージ中で、基地局に関連するネットワークエリア識別子を受信する手段と、ネットワークエリア識別子に少なくとも部分的に基づいて、ゲートウェイが存在するか否かを決定する手段とを具備する、ワイヤレスネットワーク中でポジショニングプロトコルのメッセージをルーティングする装置が提供されている。装置は、ゲートウェイが存在するか否かに少なくとも部分的に基づいて、ネットワークノードにメッセージを配信する手段をさらに具備する。
【００１６】
さらに、別の態様では、少なくとも１つのコンピュータに、ポジショニングプロトコルのメッセージ中で、基地局に関連するネットワークエリア識別子を受信させるためのコードと、少なくとも１つのコンピュータに、ネットワークエリア識別子に少なくとも部分的に基づいて、ゲートウェイが存在するか否かを決定させるためのコードとを有するコンピュータ読取可能媒体を具備する、ワイヤレスネットワーク中でポジショニングプロトコルのメッセージをルーティングするコンピュータプログラムプロダクトが提供されている。コンピュータ読取可能媒体は、少なくとも１つのコンピュータに、ゲートウェイが存在するか否かに少なくとも部分的に基づいて、ネットワークノードにメッセージを提供させるためのコードをさらに含む。
【００１７】
さらに、ある態様では、ポジショニングプロトコルのメッセージ中で、基地局に関連するネットワークエリア識別子を取得するメッセージ受信コンポーネントと、ネットワークエリア識別子に少なくとも部分的に基づいて、ゲートウェイが存在するか否かを見分けるゲートウェイ存在決定コンポーネントとを具備する、ワイヤレスネットワーク中でポジショニングプロトコルのメッセージをルーティングする装置が提供されている。装置は、ゲートウェイが存在するか否かに少なくとも部分的に基づいて、ネットワークノードにメッセージを配信するメッセージルーティングコンポーネントをさらに具備する。
【００１８】
別の例では、ポジショニングサーバから１つ以上のメッセージを受信することと、ポジションに関連する１つ以上のパラメータの修正を検出することとを含む、ワイヤレスネットワーク中でポジショニング情報を更新するための方法が提供されている。方法は、修正された１つ以上のパラメータを含むメッセージをポジショニングサーバに通信することをさらに含む。
【００１９】
別の態様では、ポジショニングサーバから１つ以上のメッセージを受信するようにと、
ポジションに関連する１つ以上のパラメータの修正を検出するように構成されている少なくとも１つのプロセッサを具備する、ワイヤレスネットワーク中でポジショニング情報を更新する装置が提供されている。少なくとも１つのプロセッサは、修正された１つ以上のパラメータを含むメッセージをポジショニングサーバに通信するようにさらに構成されている。加えて、装置は、少なくとも１つのプロセッサに結合されているメモリを具備する。
【００２０】
さらに別の態様では、ポジションに関連する１つ以上のパラメータの修正を検出する手段を具備する、ワイヤレスネットワーク中でポジショニング情報を更新する装置が提供されている。装置は、修正された１つ以上のパラメータを含むメッセージをポジショニングサーバに通信する手段をさらに具備する。
【００２１】
さらに、別の態様では、少なくとも１つのコンピュータに、ポジショニングサーバから１つ以上のメッセージを受信させるためのコードと、少なくとも１つのコンピュータに、ポジションに関連する１つ以上のパラメータの修正を検出させるためのコードとを有するコンピュータ読取可能媒体を具備する、ワイヤレスネットワーク中でポジショニング情報を更新するコンピュータプログラムプロダクトが提供されている。コンピュータ読取可能媒体は、少なくとも１つのコンピュータに、修正された１つ以上のパラメータを含むメッセージをポジショニングサーバに通信させるためのコードをさらに含む。
【００２２】
さらに、ある態様では、ポジションに関連する１つ以上のパラメータの修正を決定するコンフィギュレーション修正検出コンポーネントを具備する、ワイヤレスネットワーク中でポジショニング情報を更新する装置が提供されている。装置は、修正された１つ以上のパラメータを含むメッセージをポジショニングサーバに送信するポジショニングサーバ通信コンポーネントをさらに具備する。
【００２３】
先の目的および関連する目的を達成するために、１つ以上の態様は、後に完全に説明する特徴、および、特許請求の範囲中で特に指摘する特徴を含んでいる。以下の説明および添付した図面により、１つ以上の態様のある例示的な特徴を詳細に述べる。しかしながら、これらの特徴は、さまざまな態様の原理を用いることができるさまざまな方法のうちのいくつかだけを示し、この説明は、このようなすべての態様とそれらの均等物とを含むことを意図している。
【図面の簡単な説明】
【００２４】
同一の記号が同一のエレメントを示しており、開示する態様を図示しているがこれらに限定されないように提供されている添付図面とともに、開示する態様をここより後で説明する。
【図１】図１は、さまざまなネットワークノードにわたってポジショニングプロトコルのメッセージを通信するための例示的なシステムを図示している。
【図２】図２は、少なくともポジショニングサーバから中間ネットワークノードにメッセージを通信するための例示的なシステムを図示している。
【図３】図３は、少なくとも中間ネットワークノードから、ゲートウェイにまたは基地局に、メッセージを通信するための例示的なシステムを図示している。
【図４】図４は、ポジショニングサーバによるポジショニング情報の更新を促進する例示的なシステムを図示している。
【図５】図５は、さまざまなネットワークノード間で、ポジショニングプロトコルのメッセージを通信するための例示的なシステムを図示している。
【図６】図６は、少なくとも１つのゲートウェイを含むさまざまなネットワークノード間で、ポジショニングプロトコルのメッセージを通信するための例示的なシステムを図示している。
【図７】図７は、ポジショニングプロトコルのメッセージをルーティングする例示的な方法を説明している。
【図８】図８は、受信したポジショニングプロトコルのメッセージをルーティングする例示的な方法を説明している。
【図９】図９は、ポジショニング情報を更新するための例示的な方法を説明している。
【図１０】図１０は、ポジショニング情報を更新する例示的なシステムを図示している。
【図１１】図１１は、ポジショニングプロトコルのメッセージをルーティングするための例示的なコンピューティングデバイスを図示している。
【図１２】図１２は、ポジショニングプロトコルのメッセージをルーティングするための例示的なシステムを図示している。
【図１３】図１３は、受信したポジショニングプロトコルのメッセージをルーティングする例示的なシステムを図示している。
【図１４】図１４は、ポジショニング情報を更新する例示的なシステムを図示している。
【図１５】図１５は、ここで述べるさまざまな態様にしたがった、例示的なワイヤレス通信システムを図示している。
【図１６】図１６は、ここで説明するさまざまなシステムおよび方法とともに用いることができる例示的なワイヤレスネットワーク環境を図示している。
【図１７】図１７は、ここでの態様を実現でき、多数のデバイスをサポートするように構成されている、ワイヤレス通信システムを図示している。
【図１８】図１８は、ネットワーク環境内でのフェムトセルの配備を可能にする例示的な通信システムを図示している。
【図１９】図１９は、いくつかの規定されたトラッキングエリアを有するカバレッジマップの例を図示している。
【詳細な説明】
【００２５】
図面を参照して、ここでさまざまな態様を説明する。以下の説明では、説明の目的上、１つ以上の態様の完全な理解を提供するために、多数の特定の詳細を述べる。しかしながら、これらの特定の詳細なしにこのような態様を実施できることが、明らかであることがある。
【００２６】
ここでさらに説明するように、ポジショニングプロトコルの１つ以上のメッセージをルーティングするために、ポジショニングサーバにより、基地局識別子へのネットワークエリア識別子のマッピングを利用して、基地局に関連する中間ネットワークノードを決定できる。加えて、例えば、中間ネットワークノードと基地局との間に１つ以上のゲートウェイノードが存在する場合に、ネットワークエリア識別子をメッセージ中で示すことができる。したがって、中間ネットワークノードは、ネットワークエリア識別子に少なくとも部分的に基づいて、メッセージを転送する先の適切なゲートウェイノードを決定できる。さらに、この例では、中間ネットワークノードは、メッセージを転送する先の基地局をゲートウェイノードが決定できるように、メッセージ中に基地局の識別子を含めることができる。さらに、例えば、基地局は、ホーム進化型ノードＢ（ＨｅＮＢ）とすることができ、ホーム進化型ノードＢ（ＨｅＮＢ）は、そのポジションに対するまたは他のコンフィギュレーションパラメータに対する修正を検出したときに、ポジションサーバに対してそのコンフィギュレーションを更新することができる。
【００２７】
本出願で使用されているような用語“コンポーネント”、“モジュール”、“システム”、および、これらに類似するものは、これらに限定されないが、ハードウェアや、ファームウェアや、ハードウェアとソフトウェアの組み合わせや、ソフトウェアや、または、実行中のソフトウェアのような、コンピュータ関連エンティティを含むことを意図している。例えば、コンポーネントは、これらに限定されないが、プロセッサ上で動作しているプロセス、プロセッサ、オブジェクト、実行ファイル、実行のスレッド、プログラム、および／または、コンピュータであってもよい。例として、コンピューティングデバイス上で動作しているアプリケーションとコンピューティングデバイスの双方をコンポーネントとすることができる。１つ以上のコンポーネントが、プロセスおよび／または実行のスレッド内に存在することがあり、コンポーネントは、１つのコンピュータ上に局所化されていてもよく、および／または、２つ以上のコンピュータ間に分散されていてもよい。加えて、それらの上にさまざまなデータ構造を記憶させているさまざまなコンピュータ読取可能媒体から、これらのコンポーネントは実行することができる。コンポーネントは、ローカルシステム中の、分散システム中の別のコンポーネントと対話する、および／または、インターネットのようなネットワークを通して、信号によって他のシステムと対話する、１つのコンポーネントからのデータのような、１つ以上のデータパケットを有する信号にしたがうような、ローカルおよび／または遠隔のプロセスによって通信してもよい。
【００２８】
さらに、ワイヤード端末またはワイヤレス端末であることがある端末に関連して、ここでさまざまな態様を説明する。端末は、システム、デバイス、加入者ユニット、加入者局、移動局、移動体、移動デバイス、遠隔局、遠隔端末、アクセス端末、ユーザ端末、端末、通信デバイス、ユーザエージェント、ユーザデバイス、または、ユーザ機器（ＵＥ）と呼ぶこともできる。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、または、ワイヤレスモデムに接続されている他の処理デバイスであってもよい。さらに、基地局に関連して、ここでさまざまな態様を説明する。基地局は、ワイヤレス端末と通信するために利用されてもよく、アクセスポイント、ノードＢ、進化型ノードＢ（ｅＮＢ）、または、他の何らかの専門用語と呼ぶこともできる。
【００２９】
さらに、“または”という用語は、排他的な“または”というよりむしろ、包含的な“または”を意味することを意図している。すなわち、そうではないと特に述べられていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによっても満たされる：ＸがＡを用いる；ＸがＢを用いる；あるいは、ＸがＡおよびＢの双方とも用いる。加えて、本願明細書および添付した特許請求の範囲で使用されているような冠詞“ａ”および“ａｎ”は、そうではないと特に述べられていない限り、または、単数形を意図する文脈から明らかでない限り、一般的に、“１つ以上”を意味すると解釈すべきである。
【００３０】
ここで説明する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されてもよい。“システム”および“ネットワーク”という用語は、区別なく使用されることが多い。ＣＤＭＡシステムは、ユニバーサル地上無線アクセス（ＵＴＲＡ）、ｃｄｍａ２０００等のような無線技術を実現してもよい。ＵＴＲＡは、ワイドバンドＣＤＭＡ（Ｗ−ＣＤＭＡ）と、ＣＤＭＡの他の変形とを含む。さらに、ｃｄｍａ２０００は、ＩＳ−２０００、ＩＳ−９５、および、ＩＳ−８５６標準規格をカバーしている。ＴＤＭＡシステムは、グローバルシステムフォーモバイルコミュニケーション（ＧＳＭ（登録商標））のような無線技術を実現してもよい。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１１（Ｗｉ−Ｆｉ（登録商標））や、ＩＥＥＥ８０２．１６（ＷｉＭＡＸ）や、ＩＥＥＥ８０２．２０や、フラッシュＯＦＤＭ（登録商標）等のような無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを用いて、アップリンク上ではＳＣ−ＦＤＭＡを用いるＥ−ＵＴＲＡを使用するＵＭＴＳのリリースである。ＵＴＲＡと、Ｅ−ＵＴＲＡと、ＵＭＴＳと、ＬＴＥと、ＧＳＭとは、“第三世代パートナーシッププロジェクト”（３ＧＰＰ）という名の組織による文書中に記述されている。さらに、ｃｄｍａ２０００とＵＭＢは、“第三世代パートナーシッププロジェクト２”（３ＧＰＰ２）という名の組織による文書中に記述されている。さらに、このようなワイヤレス通信システムは、対でないライセンスされていないスペクトルと、８０２．ｘｘワイヤレスＬＡＮと、ブルートゥース（登録商標）と、他の何らかの短距離または長距離のワイヤレス通信技術とを使用することが多い、ピア・ツー・ピア（例えば、移動体対移動体）アドホックネットワークシステムをさらに含んでいてもよい。
【００３１】
多数のデバイス、コンポーネント、モジュール、および、これらに類似するものを含んでもよいシステムの観点から、さまざまな態様または特徴を提示するだろう。さまざまなシステムは、追加のデバイス、コンポーネント、モジュール等を含んでいてもよく、および／または、図面に関連して論じるデバイス、コンポーネント、モジュール等のすべてを含んでいなくてもよいことを理解し、正しく認識すべきである。これらのアプローチの組み合わせも使用してもよい。
【００３２】
図１を参照すると、図示されているのは、１つ以上のネットワークノード間でのポジショニングプロトコルのメッセージのルーティングを促進するワイヤレス通信システム１００である。システム１００は、（基地局１０４および１０６により担当されているデバイスに関連することがあるか、または、そうではない）ポジショニングプロトコルのメッセージを、１つ以上の基地局１０４および／または１０６に提供するポジショニングサーバ１０２を含む。加えて、システム１００は、１つの例では、基地局１０４および／または１０６にメッセージをルーティングすることができる中間ネットワークノード１０８を含む。別の例では、システム１００は、中間ネットワークノード１０８から基地局１０４および／または１０６にメッセージをさらにルーティングするゲートウェイ１１０をオプション的に含むこともある。ポジショニングサーバ１０２は、サービングモバイルロケーションセンター（ＳＭＬＣ）、ＬＴＥにおける進化型ＳＭＬＣ（ｅＳＭＬＣ）、および／または、これらに類似するものとすることができる。基地局１０４および１０６は、マクロセル基地局、フェムトセルまたはピコセルの基地局（例えば、ホーム進化型ノードＢ（ＨｅＮＢ））、移動基地局、中継ノード、それらの一部、ならびに／あるいは、これらに類似するものとすることができる。中間ネットワークノード１０８は、基地局１０４および／または１０６と通信する１つ以上のデバイスに対する、ならびに／あるいは、類似するネットワークノードに対する、認可および／または認証を提供する移動性管理エンティティ（ＭＭＥ）とすることができる。基地局１０４および１０６がＨｅＮＢである場合に、オプション的なゲートウェイ１１０は、例えば、ＨｅＮＢゲートウェイとすることができる。
【００３３】
例にしたがうと、ポジショニングサーバ１０２は、少なくとも中間ネットワークノード１０８を通して、基地局１０４および／または１０６にポジショニングプロトコルのメッセージを通信できる。１つの例では、ポジショニングプロトコルは、ＬＴＥポジショニングプロトコル（ＬＰＰ）、ＬＰＰアネックス（ＬＰＰａ）、および／または、類似するポジショニングプロトコルとすることができる。加えて、例えば、メッセージは、基地局１０４および／または１０６と通信するデバイスからの特定の要求に関連することがあり、中間ネットワークノード１０８を通して受信することができる。したがって、メッセージは、ＬＴＥにおけるトラッキングエリア識別子（ＴＡＩ）等の、中間ネットワークノード１０８により指定されているような関連するネットワークエリア識別子を含むことがある。したがって、所定の応答メッセージに対して、ポジショニングサーバ１０２は、ポジショニングサーバ１０２が応答メッセージに関係付けることができるネットワークエリア識別子に少なくとも部分的に基づいて、中間ネットワークノードを識別できる。
【００３４】
加えて、ある例では、ポジショニングサーバ１０２は、マッピング１１２のような、基地局識別子（ＢＳ ＩＤ）へのネットワークエリア識別子（ＮＡＩ）のマッピングを記憶する。例えば、マッピングは、以下のものに類似するフォーマットからなることがある。
【表１】
0005551273.tif 000002
【００３５】
ここで、Ｘｘｘ、Ｚｚｚ、および、Ｐｐｐは、基地局識別子を表し、ＹｙｙおよびＴｔｔは、対応するネットワークエリア識別子を表す。識別子は、実質的に任意のフォーマットの実質的に任意の値（例えば、文字列、整数等）とすることができることを正しく認識すべきである。この点で、例えば、ポジショニングサーバ１０２は、メッセージ１１４のような、基地局１０４および／または１０６に対して向けられる、ポジショニングプロトコルの１つ以上のメッセージを受信するか、または、そうでなければ発生させることができ、したがって、（例えば、メッセージが、デバイスからの要求に関係付けられていない場合に、）基地局１０４および／または１０６の識別子にメッセージを関係付けることができる。例えば、基地局１０４および／または１０６の識別子に少なくとも部分的に基づいて、ポジションサーバ１０２は、メッセージに関係付けられているネットワークエリア識別子をマッピングにしたがって決定でき、ネットワークエリア識別子に少なくとも部分的に基づいて、中間ネットワークノード１０８にメッセージを送信できる。例えば、ゲートウェイ１１０が存在しない場合に、中間ネットワークノード１０８は、メッセージ内の基地局識別子に少なくとも部分的に基づいて、基地局１０４および／または１０６にメッセージを転送できる。
【００３６】
さらに、ゲートウェイ１１０が存在する場合に、ポジショニングサーバ１０２は、メッセージ１１４に対して示されているように、特定のデバイスに関係付けられているメッセージに対してさえも、オプション的に、中間ネットワークノード１０８へのメッセージ中に、ネットワークエリア識別子を含めることができる。この例では、中間ネットワークノード１０８は、マッピング１１６のような、ゲートウェイ識別子（ＧＷ ＩＤ）へのネットワークエリア識別子のマッピングを同様に記憶できる。同様に、１つの例では、このマッピングは、以下のものに類似するフォーマットを有することがある。
【表２】
0005551273.tif 000003
【００３７】
ここで、ＹｙｙおよびＴｔｔは、ネットワークエリア識別子を表し、ＱｑｑおよびＦｆｆは、対応するゲートウェイ識別子を表す。識別子は、実質的に任意のフォーマットの実質的に任意の値（例えば、文字列、整数等）とすることができることを正しく認識すべきである。したがって、中間ネットワークノード１０８は、ネットワークエリア識別子に関係付けられている、ゲートウェイ１１０のような、１つ以上のゲートウェイを決定でき、メッセージ１１８のような、メッセージを、基地局識別子とともに、ゲートウェイ１１０に転送できる。この例では、ゲートウェイ１１０は、ポジショニングプロトコルのメッセージを受信でき、メッセージ中の基地局識別子に少なくとも部分的に基づいて、基地局１０４および／または１０６にメッセージを転送できる。
【００３８】
この点で、特定のデバイスに関連していないが、特定の基地局１０４および／または１０６に対して向けられているポジショニングメッセージに対して、例えば、ここで説明するような、基地局のポジションに、基地局タイミングに、基地局からのポジション更新の肯定応答に、および／または、これらに類似するものに関連するメッセージに対して、ポジショニングサーバ１０２は、マッピングおよびメッセージ中の基地局識別子に基づいて、基地局１０４および／または１０６が通信する先の中間ネットワークノード１０８を識別できる。その理由は、メッセージが、中間ネットワークノード１０８に対応する特定のデバイス識別子を有していないからである。加えて、ゲートウェイ１１０が存在する場合に、ポジショニングサーバ１０２は、メッセージ中にネットワークエリア識別子を含めることができ、中間ネットワークノード１０８は、中間ネットワークノード１０８に関係付けられているゲートウェイ１１０を決定して、基地局１０４および／または１０６に対応するゲートウェイ１１０を決定できる。中間ネットワークノード１０８は、どのゲートウェイ１１０に基地局１０４および／または１０６が通信するかをそうではなく知らないこともあるので、この例では、ポジショニングメッセージが、特定のデバイスに関連するか否かにかかわらず、これを実行できる。
【００３９】
図２に目を向けると、ネットワークエリア識別子に少なくとも部分的に基づいて、ポジショニングプロトコルのメッセージのルーティングを促進する例示的なワイヤレス通信システム２００が、図示されている。システム２００は、ポジショニングサーバ２０２を含むことができる。ポジショニングサーバ２０２は、ここで説明する実質的に任意のポジショニングサーバに類似のものとすることができ、したがって、ｅＳＭＬＣ等とすることができる。システム２００は、中間ネットワークノード２０４を含むことができる。中間ネットワークノード２０４は、ここで説明する実質的に任意の中間ネットワークノードに類似のものとすることができ、したがって、ＭＭＥ、あるいは、１つ以上のデバイスとのまたは関連する基地局との通信を促進する類似のコンポーネントとすることができる。さらに、例えば、システム２００は、基地局２０８のような、１つ以上の基地局へのアクセスを促進するゲートウェイ２０６をオプション的に含むことがある。例えば、ゲートウェイ２０６が存在しない場合に、中間ネットワークノード２０４は、基地局２０８と直接通信することができる。説明したように、基地局２０８は、ＨｅＮＢ、マクロセル基地局、移動基地局、中継ノード等とすることができる。したがって、例えば、基地局２０８がＨｅＮＢである場合に、ゲートウェイ２０６は、ＨｅＮＢゲートウェイとすることができる。
【００４０】
ポジショニングサーバ２０２は、１つ以上の基地局に対して、または、１つ以上の基地局と通信している関連デバイスに対して向けられる、ポジショニングプロトコル（例えば、ＬＰＰａ等）の１つ以上のメッセージを取得するか、あるいは、発生させるメッセージコンポーネント２１０と、１つ以上の基地局の識別子に関係付けられているネットワークエリア識別子を見分けるネットワークエリア識別子決定コンポーネント２１２とを含むことがある。ポジショニングサーバ２０２はまた、ネットワークエリア識別子に少なくとも部分的に基づいて、１つ以上の基地局に提供するための１つ以上のメッセージを中間ネットワークノードに配信するメッセージルーティングコンポーネント２１４と、１つ以上のネットワークエリア識別子（例えば、および／または、１つ以上の基地局識別子への関係付け）を取得するオプション的なネットワークエリア識別子受信コンポーネント２１６とを含むことがある。
【００４１】
例にしたがうと、メッセージコンポーネント２１０は、基地局２０８のような基地局に送信するためのポジションプロトコルのメッセージを受信するか、そうでなければ、発生させることができる。１つの例では、デバイスからの要求に少なくとも部分的に基づいて、デバイスにメッセージを宛てることができる。別の例では、基地局にメッセージを宛てることができ、メッセージは、例えば、ここでさらに説明するような、基地局２０８のポジショニングや、タイミングや、ポジショニング更新の肯定応答等に関連するメッセージとすることができる。いずれのケースでも、メッセージは、基地局の識別子を含むことができ、ネットワークエリア識別子決定コンポーネント２１２は、基地局の識別子に関係付けられているネットワークエリア識別子とともに、基地局の識別子を決定できる。１つの例では、ネットワークエリア識別子決定コンポーネント２１２は、ネットワークエリア識別子決定コンポーネント２１２により（例えば、メモリまたは他のデータ記憶装置等において）記憶される、基地局識別子へのネットワークエリア識別子のマッピングに少なくとも部分的に基づいて、このように決定する。１つの例では、ネットワークエリア識別子は、トラッキングエリア識別子（ＴＡＩ）または類似する識別子とすることができる。加えて、中間ネットワークノード２０４は、ポジショニングサーバ２０２や、中間ネットワークノード２０４等を含むコアネットワーク中の、ＴＡＩに関係付けられているＭＭＥとすることができる。この点で、メッセージルーティングコンポーネント２１４は、決定されたネットワークエリア識別子に関係付けられているような、中間ネットワークノード２０４を決定でき、基地局２０８に提供するためのメッセージを、中間ネットワークノード２０４に転送できる。
【００４２】
さらに、例えば、ネットワークエリア識別子受信コンポーネント２１６は、オペレーションズアンドマネージメント（ＯＡＭ）、あるいは、類似するコンポーネントのような、（示されていない）コアネットワークの１つ以上のコンポーネントから、基地局識別子へのネットワークエリア識別子のマッピングを取得できる。例えば、提供されるマッピングは、静的なまたは半静的なデータベースであることがあり、そのため、１つ以上のコンポーネントがマッピングを更新できる。１つの例では、基地局２０８は、ここでさらに説明するような、コンフィギュレーション変更の検出に少なくとも部分的に基づいて、タイマーにしたがって、および／または、これらに類似することによって、基地局２０８に関連するマッピングに更新を提供できる。別の例では、中間ネットワークノード２０４は、中間ネットワークノード２０４に関係付けられているネットワークエリア識別子と、中間ネットワークノード２０４と通信している１つ以上の基地局の識別子とに少なくとも部分的に基づいて、ポジショニングサーバ２０２にマッピングを提供できる（例えば、これは、周期的に、初期化の間に所定の基地局に対して、別のイベントに基づいて、および／または、これらに類似することによって、起こり得る）。加えて、１つの例では、基地局２０８は、上述したように、基地局２０８における更新を伝えるために、中間ネットワークノード２０４が提供するネットワークエリア識別子マッピング、および／または、これに類似するものの一部として、基地局の識別子をポジショニングサーバ２０２に提供できる。
【００４３】
別の例では、ゲートウェイ２０６が存在する場合に、メッセージルーティングコンポーネント２１４は、決定されたネットワークエリア識別子をメッセージ内に含めることができる。この点で、ここでさらに説明するように、中間ネットワークノード２０４は、ネットワークエリア識別子に関連するゲートウェイに、基地局２０８に通信するためのメッセージをルーティングすることを決定できる。加えて、ここでさらに説明するように、中間ネットワークノード２０４は、メッセージ中にネットワークエリア識別子を含めるか否を、ポジションサーバ２０２に指定することができる。１つの例では、中間ネットワークノード２０４は、指定された組の基地局識別子に対してのみ（例えば、ＨｅＮＢのみ）、および／または、これに類似するものに対してのみ、中間ネットワークノード２０４に対するすべてのメッセージ中で、ネットワークエリア識別子を要求するためのパラメータを、ポジショニングサーバ２０２に通信できる。いずれのケースでも、ネットワークエリア識別子受信コンポーネント２１６は、基地局識別子の表示および／または組を取得でき、メッセージルーティングコンポーネント２１４は、それにしたがって、対応するメッセージ中で、所望のようにネットワークエリア識別子を示すことができる。別の例では、ポジショニングサーバ２０２は、中間ネットワークノード２０４によってそうしないように命令されない限り、デフォルトにより、メッセージ中にネットワークエリア識別子を含めることができる。
【００４４】
図３を参照すると、図示されているのは、ネットワークエリア識別子に少なくとも部分的に基づいて、ポジショニングプロトコルのメッセージのルーティングを促進する例示的なワイヤレス通信システム３００である。システム３００は、ポジショニングサーバ３０２を含むことができ、ポジショニングサーバ３０２は、ここで説明する実質的に任意のポジショニングサーバに類似のものとすることができ、したがって、説明したような、ｅＳＭＬＣ等とすることができる。システム３００はまた、中間ネットワークノード３０４を含むことができ、中間ネットワークノード３０４は、ここで説明する実質的に任意の中間ネットワークノードに類似のものとすることができ、したがって、ＭＭＥ、あるいは、１つ以上のデバイスとのまたは関連する基地局との通信を促進する類似のコンポーネントとすることができる。さらに、例えば、システム３００は、説明したように、基地局３０８等の、１つ以上の基地局へのアクセスを促進するゲートウェイ３０６をオプション的に含むことができる。例えば、ゲートウェイ３０６が存在しない場合に、中間ネットワークノード３０４は、基地局３０８と直接通信することができる。説明したように、基地局３０８は、ＨｅＮＢ、マクロセル基地局、移動基地局、中継ノード等とすることができる。したがって、例えば、基地局３０８がＨｅＮＢである場合に、ゲートウェイ３０６は、ＨｅＮＢゲートウェイとすることができる。
【００４５】
中間ネットワークノード３０４は、１つ以上の基地局に関連するポジショニングプロトコル（例えば、ＬＰＰａ等）のメッセージをポジショニングサーバから取得するメッセージ受信コンポーネント３１０と、中間ネットワークノード３０４と１つ以上の基地局（例えば、および／または、１つ以上の基地局と通信する１つ以上のデバイス）との間にゲートウェイが存在するか否かを検出できるゲートウェイ存在決定コンポーネント３１２とを含むことができる。中間ネットワークノード３０４は、存在する場合にはゲートウェイに、または、１つ以上の基地局に、メッセージを転送するメッセージルーティングコンポーネント３１４と、ネットワークエリア識別子および関係付けられているゲートウェイ識別子を取得する、オプション的なネットワークエリア識別子受信コンポーネント３１６とをさらに含むことができる。
【００４６】
例にしたがうと、メッセージ受信コンポーネント３１０は、基地局３０８のような１つ以上の基地局に、または、１つ以上の基地局と通信しているデバイスに関連する、ポジショニングプロトコルのメッセージをポジショニングサーバ３０２から取得できる。１つの例では、ゲートウェイ存在決定コンポーネント３１２は、中間ネットワークノード３０４と基地局３０８との間にゲートウェイが存在するか否かを見分ける。１つの例では、これは、基地局３０８がＨｅＮＢであるか否かを決定すること、コアネットワークとの基地局３０８の初期化時にゲートウェイ３０６を検出すること、基地局３０８あるいは１つ以上の他のネットワークコンポーネントまたはデバイスからゲートウェイ３０６の表示を受信すること、ならびに／あるいは、これに類似することを含むことができる。１つの例では、ゲートウェイ存在決定コンポーネント３１２は、ゲートウェイを通して通信する基地局に対応する基地局識別子のリストを記憶できる。さらに、例えば、ゲートウェイ存在決定コンポーネント３１２は、このような識別子をポジショニングサーバ３０２に転送でき、そのため、以前に説明したように、ポジショニングサーバは、基地局に対する通信中でネットワークエリア識別子を提供するか否かを決定できる。
【００４７】
さらに、この点で、ポジショニングサーバ３０２からのメッセージ中でネットワークエリア識別子を受信した場合に、ゲートウェイ存在決定コンポーネント３１２は、中間ネットワークノード３０４と基地局３０８との間にゲートウェイが存在することを指定する。この例では、メッセージルーティングコンポーネント３１４は、ネットワークエリア識別子とゲートウェイ３０６の識別子との間の記憶されているマッピングに少なくとも部分的に基づいて、ゲートウェイを決定でき、このゲートウェイはゲートウェイ３０６である。説明したように、例えば、ネットワークエリア識別子受信コンポーネント３１６は、（例えば、ＯＡＭから）このマッピングを取得し、コアネットワークとの、ゲートウェイ３０６または基地局３０８の初期化時に、ゲートウェイ識別子をネットワークエリア識別子に関係付けることに少なくとも部分的に基づいて、マッピングを発生させ、ならびに／あるいは、これらに類似するものを実行できる。
【００４８】
さらに、例えば、メッセージルーティングコンポーネント３１４は、ゲートウェイ３０６におけるルーティングを促進するために、メッセージ中に、または、そのヘッダ中に、基地局の識別子を含めることができる。別の例では、ポジショニングサーバ３０２から受信したメッセージが、ネットワークエリア識別子を含んでいない場合に、ゲートウェイ存在決定コンポーネント３１２は、中間ネットワークノード３０４と基地局３０８との間にゲートウェイがないことを決定でき、メッセージルーティングコンポーネント３１４は、メッセージを基地局３０８に直接転送できる。
【００４９】
図４に目を向けると、ネットワークエリア識別子に少なくとも部分的に基づいて、ポジショニングプロトコルのメッセージのルーティングを促進する例示的なワイヤレス通信システム４００が図示されている。システム４００は、ポジショニングサーバ４０２を含むことができ、ポジショニングサーバ４０２は、ここで説明する実質的に任意のポジショニングサーバに類似のものとすることができ、したがって、説明するようなｅＳＭＬＣ等とすることができる。システム４００はまた、中間ネットワークノード４０４を含むことができ、中間ネットワークノード４０４は、ここで説明する実質的に任意の中間ネットワークノードに類似のものとすることができ、したがって、ここで説明するような、ＭＭＥ、あるいは、１つ以上のデバイスとのまたは関連する基地局との通信を促進する類似のコンポーネントとすることができる。さらに、説明するように、例えば、システム４００は、基地局４０８のような１つ以上の基地局へのアクセスを促進するゲートウェイ４０６を、オプション的に含むことができる。例えば、ゲートウェイ４０６が存在しない場合に、中間ネットワークノード４０４は、基地局４０８と直接通信することができる。説明するように、基地局４０８は、ＨｅＮＢ、マクロセル基地局、移動基地局、中継ノード等とすることができる。したがって、例えば、基地局４０８がＨｅＮＢである場合に、ゲートウェイ４０６は、ＨｅＮＢゲートウェイとすることができる。
【００５０】
基地局４０８は、基地局に対する１つ以上のコンフィギュレーションパラメータの修正を決定できるコンフィギュレーション修正検出コンポーネント４１０と、修正された１つ以上のコンフィギュレーションパラメータを１つ以上のネットワークコンポーネントに通信できるポジショニングサーバ通信コンポーネント４１２とを含むことができる。例にしたがうと、説明したように、ポジショニングサーバ４０２は、中間ネットワークノード４０４および／または（存在する場合には）ゲートウェイ４０６を通して、ポジショニングプロトコル（例えば、ＬＰＰａ等）のメッセージを基地局４０８に通信でき、メッセージは、ポジションサーバ通信コンポーネント４１２において受信され得る。説明したように、基地局は、ユーザにより構成できるＨｅＮＢとすることができる。同様に、例えば、基地局４０８は、１つのロケーションから別のロケーションに移動することがある。いずれのケースでも、これは、結果的にコンフィギュレーション更新を生じさせることがある。ある例では、コンフィギュレーション修正検出コンポーネント４１０は、パラメータを監視することに、または、そうでなければ、修正を知らされることに少なくとも部分的によって、ロケーションのような、少なくとも１つ以上のポジショニングパラメータの修正を決定できる。
【００５１】
この例では、ポジショニングサーバ通信コンポーネント４１２は、基地局４０８に対するパラメータを更新するためのメッセージをポジショニングサーバ４０２に送信できる。例えば、メッセージは、基地局４０８と通信するためにポジショニングサーバ４０２により利用されるポジショニングプロトコルからなるものとすることができる。１つの例では、パラメータは、ポジショニングを決定するために１つ以上のデバイスに後に提供される支援データに関連することができる。別の例では、更新されたポジションまたは他のパラメータが、基地局４０８に関係付けられているネットワークエリア識別子（および／または、１つの例では、ゲートウェイ４０６）を変更することがある。したがって、この例では、例えば、まだ関係付けられていない場合には、ポジショニングサーバ４０２は、基地局４０８の識別子を新しいネットワークエリア識別子に関係付けることができ、および／または、中間ネットワークノード４０４は、ネットワークエリア識別子を新しいゲートウェイに関係付けることがある。
【００５２】
図５を参照すると、ポジショニングプロトコルのメッセージのルーティングを促進する例示的なワイヤレス通信システム５００が図示されている。システム５００は、ＭＭＥ５０４を通してｅＮＢ５０６にポジショニングプロトコルメッセージを通信するｅＳＭＬＣ５０２を含む。この例では、ＭＭＥ５０４をＴＡＩ Ｙに関係付けることができ、ｅＮＢ５０６は、識別子Ｘを有することができる。描写するように、ｅＳＭＬＣ５０２において、ｅＮＢ Ｘに対する、ＵＥに関係付けられていないＬＰＰａメッセージの発生をトリガすることができる５０８。これは、例えば、ポジションを要求するためのメッセージや、タイミングを更新するためのメッセージや、ポジショニング更新に肯定応答するためのメッセージや、および／または、これらに類似するものを含むことができる。ｅＳＭＬＣは、ｅＮＢ Ｘに対するＴＡＩをルックアップできる５１０。説明するように、これは、ｅＮＢ識別子へのＴＡＩのマッピングの解析を含むことがあり、マッピングは、ｅＳＭＬＣ５０２によって受信されるか、または、そうでなければ、ｅＳＭＬＣ５０２によって発生／更新することができる。ｅＳＭＬＣ５０２は、ＴＡＩ ＹがｅＮＢ Ｘに関係付けられていることを決定できる５１２。したがって、ｅＳＭＬＣ５０２は、ＭＭＥ５０４がＴＡＩ Ｙに関係付けられていることに少なくとも部分的に基づいて、ｅＮＢ ＩＤ＝Ｘを指定するコンテナメッセージ５１４をＭＭＥ５０４に送信できる。例えば、コンテナメッセージ５１４は、ＬＴＥでは、ロケーションサービス（ＬＣＳ）メッセージとすることができる。その後、ＭＭＥ５０４は、コンテナメッセージ５１４中で受信したｅＮＢ ＩＤに少なくとも部分的に基づいて、コンテナメッセージ５１４とは異なるヘッダを有することができるコンテナメッセージ５１６を、ｅＮＢ５０６に転送できる。
【００５３】
図６を参照すると、ポジショニングプロトコルのメッセージのルーティングを促進する例示的なワイヤレス通信システム６００が図示されている。システム６００は、ＭＭＥ６０４およびＨｅＮＢゲートウェイ６０６を通してＨｅＮＢ６０８にポジショニングプロトコルメッセージを通信するｅＳＭＬＣ６０２を含む。この例では、ＭＭＥ６０４をＴＡＩ Ｙに関係付けることができ、ＨｅＮＢ６０８は、識別子Ｘを有することができる。描写するように、ｅＳＭＬＣ６０２において、ｅＮＢ Ｘに対する、ＵＥに関係付けられていないＬＰＰａメッセージの発生をトリガすることができる６１０。これは、例えば、ポジションを要求するためのメッセージや、タイミングを更新するためのメッセージや、および／または、これらに類似するものを含むことができる。ｅＳＭＬＣは、ｅＮＢ Ｘに対するＴＡＩをルックアップできる６１２。説明するように、これは、ｅＮＢ識別子へのＴＡＩのマッピングの解析を含むことができ、マッピングは、ｅＳＭＬＣ６０２によって受信されるか、または、そうでなければ、ｅＳＭＬＣ６０２によって発生／更新することができる。ｅＳＭＬＣ６０２は、ＴＡＩ ＹがｅＮＢ Ｘ６１４に関係付けられていることを決定できる６１４。したがって、ｅＳＭＬＣ５０２は、ＭＭＥ６０４がＴＡＩ Ｙに関係付けられていることに少なくとも部分的に基づいて、ｅＮＢ ＩＤ＝ＸかつＴＡＩ＝Ｙを指定するコンテナメッセージ６１６をＭＭＥ６０４に送信できる。
【００５４】
説明するように、例えば、すべてのコンテナメッセージ中に、ｅＮＢ Ｘに対するコンテナメッセージ中に、および／または、これらに類似するものの中にＴＡＩを含めるための、ＭＭＥ６０４からの要求に、コンテナメッセージ中にＴＡＩを含めるとの決定に、ｅＳＭＬＣ６０２またはＭＭＥ６０４がＨｅＮＢゲートウェイ６０６の存在を検出したことに、ならびに／あるいは、これらに類似することに、少なくとも部分的に基づいて、ｅＳＭＬＣ６０２は、コンテナメッセージ６１６中にＴＡＩ Ｙを含めることができる。ＭＭＥ６０４は、コンテナメッセージ６１６を受信でき、ＴＡＩ Ｙに対するＨｅＮＢゲートウェイをルックアップできる６１８。ＭＭＥ６０４は、ＴＡＩ Ｙに関連するＨｅＮＢゲートウェイを識別でき６２０、ＨｅＮＢ６０８に転送するためのコンテナメッセージ６２２をＨｅＮＢゲートウェイ６０６に送信できる。例えば、ＭＭＥ６０４は、コンテナメッセージ６２２がＨｅＮＢ６０８に対するものであることをＨｅＮＢゲートウェイ６０６が決定できるように、コンテナメッセージ６２２（例えば、または、そのヘッダ）中に、ｅＮＢ ＩＤ＝Ｘを含めることができる。
【００５５】
図７〜９を参照すると、ポジショニングプロトコルのメッセージのルーティングに関連する例示的な方法が説明されている。説明を簡単にする目的のために、方法は、一連の動作として示され、説明されているが、いくつかの動作は、１つ以上の実施形態にしたがって、ここで示され、説明されているものとは異なる順序で、および／または、他の動作と同時に起こることがあるので、方法は、動作の順序によって限定されないことを理解し、正しく認識すべきである。例えば、状態図のような、一連の相互に関連する状態またはイベントとして、方法を代替的に表すことができることを正しく認識すべきである。さらに、１つ以上の実施形態にしたがって、方法を実現するために、示されているすべての動作が必要とされなくてもよい。
【００５６】
図７を参照すると、ポジショニングプロトコルのメッセージのルーティングを促進する例示的な方法７００が表示されている。７０２において、基地局に関係付けられているポジショニングプロトコルのメッセージを発生させることができる。例えば、説明するように、ポジショニングプロトコルはＬＰＰａ等とすることができ、メッセージは、ポジション、タイミング、ポジショニング情報更新の肯定応答、および／または、１つ以上の類似するパラメータに関連することができる。別の例では、メッセージは、基地局により担当されているデバイスに関連することができる。７０４において、基地局に関係付けられているネットワークエリア識別子を決定できる。説明するように、例えば、基地局識別子へのネットワークエリア識別子のマッピング中でネットワークエリア識別子の位置を突き止めることに少なくとも部分的に基づいて、これを決定できる。７０６において、ネットワークエリア識別子に少なくとも部分的に基づいて、中間ネットワークノードにメッセージを配信できる。説明するように、例えば、中間ネットワークノードは、ＭＭＥとすることができ、ネットワークエリア識別子は、ＴＡＩ等とすることができる。
【００５７】
図８に目を向けると、ポジショニングプロトコルのメッセージのルーティングを促進する例示的な方法８００が表示されている。８０２において、基地局に関連するネットワークエリア識別子を、ポジショニングプロトコルのメッセージ中で受信できる。８０４において、ゲートウェイが存在するか否か（例えば、基地局がゲートウェイにより担当されているか否か）を決定できる。例えば、これは、ゲートウェイ識別子へのネットワークエリア識別子のマッピングを解析して、受信したネットワークエリア識別子がゲートウェイに関係付けられているか否かを決定することに、少なくとも部分的に基づくことができる。そうである場合に、８０６において、ｅＮＢ識別子をメッセージ中に含めることができ、８０８において、メッセージをゲートウェイに配信することができる。ゲートウェイが存在しない場合には、８１０において、基地局にメッセージを配信することができる。
【００５８】
図９を参照すると、図示されているのは、ポジショニング情報を更新するための例示的な方法９００である。上述したように、９０２において、ポジショニングサーバから１つ以上のメッセージを受信できる。９０４において、ポジションに関連する１つ以上のパラメータの修正を検出できる。例えば、これは、（例えば、監視している座標に少なくとも部分的に基づく）ロケーションにおける変更の検出を含むことができる。９０６において、修正された１つ以上のパラメータを含むメッセージをポジショニングサーバに通信できる。説明したように、例えば、メッセージは、ポジショニングサーバから受信した１つ以上のメッセージのポジショニングプロトコルからなることができる。
【００５９】
説明したように、ここで説明した１つ以上の態様にしたがって、ネットワークエリア識別子を基地局識別子にまたはＨｅＮＢゲートウェイ識別子に関係付けること、ネットワークエリア識別子に少なくとも部分的に基づいて、中間ネットワークノードまたはＨｅＮＢゲートウェイを決定すること、ならびに／あるいは、これらに類似することに関する推論を行うことができる。ここで使用するような“推論する”または“推論”という用語は、一般的に、イベントおよび／またはデータを通して捕捉されるような１組の観測から、システム、環境、ならびに／あるいは、ユーザの状態について推理するあるいは推論するプロセスのことを指す。推論は、特定の状況またはアクションを識別するために用いることができ、あるいは、例えば、状態に対する確率分布を発生させることができる。推論は、確率論的なものである−すなわち、データおよびイベントの考察に基づいての、対象の状態に対する確率分布の計算であることがある。推論はまた、１組のイベントおよび／またはデータから、より高いレベルのイベントを構成するために用いられる技法のことを指すこともある。このような推論は、イベントが時間的に近いところで相関しているか否かにかかわらず、ならびに、イベントおよびデータが、１つまたはいくつかの、イベントならびにデータソースから到来したか否かにかかわらず、結果として、１組の観測されたイベントおよび／または記憶されたイベントデータからの、新しいイベントまたはアクションの構築を生じさせる。
【００６０】
図１０は、ポジショニングコンフィギュレーションの更新を促進するシステム１０００の実例である。システム１０００は、基地局１００２を含み、基地局１００２は、（説明するように、例えば、複数のネットワーク技術からなることができる）複数の受信アンテナ１００６を通して１つ以上の移動デバイス１００４から信号を受信する受信機１０１０と、（説明するように、例えば、複数のネットワーク技術からなることができる）複数の送信アンテナ１００８を通して１つ以上の移動デバイス１００４に送信する送信機１０２４とを有する、実質的に任意の基地局（例えば、フェムトセルやピコセル等のような小型基地局、中継ノード、移動基地局．．．）とすることができる。加えて、１つの例では、送信機１０２４は、ワイヤードフロントリンクを通して移動デバイス１００４に送信できる。受信機１０１０は、１つ以上の受信アンテナ１００６から情報を受信でき、受信した情報を復調する復調器１０１２に動作可能に関係付けられている。加えて、ある例では、受信機１０１０は、ワイヤードバックホールリンクから受信できる。復調されたシンボルは、プロセッサ１０１４によって解析され、プロセッサ１０１４は、ここで説明するプロセッサに類似のものとすることができ、メモリ１０１６に結合されている。メモリ１０１６は、信号（例えば、パイロット）強度および／または干渉強度の推定に関連する情報、移動デバイス１００４（または、（示されていない）異なる基地局）に送信あるいは受信されることになるデータ、ならびに／あるいは、ここで述べるさまざまなアクションおよび機能の実行に関連する他の何らかの適切な情報を記憶できる。
【００６１】
メモリ１０１６は、（例えば、性能ベースの、容量ベースの、等）チャネルの推定および／または利用に、ポジショニング情報の更新に、あるいは、ここで説明する他の実質的に任意の態様に、関係付けられているプロトコルおよび／またはアルゴリズムをさらに記憶できる。メモリ１０１６は、揮発性メモリまたは不揮発性メモリのいずれかとすることができ、あるいは、揮発性メモリと不揮発性メモリの双方を含むことができることが正しく認識されるだろう。例として、これらに限定されないが、不揮発性メモリは、リードオンリーメモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）、または、フラッシュメモリを含むことができる。揮発性メモリは、外部キャッシュメモリとして動作するランダムアクセスメモリ（ＲＡＭ）を含むことができる。例として、これらに限定されないが、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ ＳＤＲＡＭ）、エンハンストＳＤＲＡＭ（ＥＳＤＲＡＭ）、同期リンクＤＲＡＭ（ＳＬＤＲＡＭ）、および、ダイレクトランバスＲＡＭ（ＤＲＲＡＭ）のような、多くの形態で利用可能である。ここで説明するように、主題的なシステムおよび方法のメモリ１０１６は、これらに限定されることなく、これらのタイプのメモリおよび他の何らかの適切なタイプのメモリを含むように意図されており、一般的に、データ記憶装置とすることができる。
【００６２】
プロセッサ１０１４は、コンフィギュレーション修正検出コンポーネント４１０に類似することがあるコンフィギュレーション修正検出コンポーネント１０１８と、ポジショニングサーバ通信コンポーネント４１２に類似することがあるポジショニングサーバ通信コンポーネント１０２０とに、さらにオプション的に結合されている。この点で、コンフィギュレーション修正検出コンポーネント１０１８とポジショニングサーバ通信コンポーネント１０２０は、ここで説明するような１つ以上の機能を実行するためにプロセッサ１０１４を利用でき、これらに関連するこのような命令またはパラメータを記憶するためにメモリ１０１６を利用でき、ならびに／あるいは、これらに類似することができる。
【００６３】
さらに、例えば、プロセッサ１０１４は、変調器１０２２を使用して、送信されることになる信号を変調でき、送信機１０２４を使用して、変調した信号を送信できる。送信機１０２４は、Ｔｘアンテナ１００８を通して移動デバイス１００４に信号を送信できる。さらに、プロセッサ１０１４と別個のものとして描写されているが、コンフィギュレーション修正検出コンポーネント１０１８、ポジショニングサーバ通信コンポーネント１０２０、復調器１０１２、および／または、変調器１０２２が、プロセッサ１０１４または（示されていない）複数のプロセッサの一部とすることができることを正しく認識すべきである。
【００６４】
図１１を参照すると、１つの態様では、ネットワークノード１０２、１０８、２０２、２０４、３０２、３０４、４０２、４０４、５０２、５０４、６０２、または、６０４等（例えば、図１〜６）のいずれも、コンピュータデバイス１１００により表してもよい。コンピュータデバイス１１００は、ここで説明するコンポーネントおよび機能のうちの１つ以上に関係付けられている処理機能を実行するためのプロセッサ１１０２を含む。プロセッサ１１０２は、単一の組のあるいは複数の組の、プロセッサまたはマルチコアプロセッサを含むことができる。さらに、統合処理システムおよび／または分散型処理システムとして、プロセッサ１１０２を実現できる。
【００６５】
コンピュータデバイス１１００は、プロセッサ１１０２により実行されているアプリケーションのローカルなバージョンを記憶するため等の、メモリ１１０４をさらに含む。メモリ１１０４は、ランダムアクセスメモリ（ＲＡＭ）、リードオンリーメモリ（ＲＯＭ）、テープ、磁気ディスク、光ディスク、揮発性メモリ、不揮発性メモリ、および、これらの任意の組み合わせのような、コンピュータにより使用可能な実質的に任意のタイプのメモリを含むことができる。
【００６６】
さらに、コンピュータデバイス１１００は、ここで説明されているような、ハードウェア、ソフトウェア、および、サービスを利用して、１つ以上のパーティーと通信を確立して維持することを提供する通信コンポーネント１１０６を含む。通信コンポーネント１１０６は、通信ネットワークにわたって配置されているデバイス、ならびに／あるいは、コンピュータデバイス１１００にシリアルにまたはローカルに接続されているデバイスのような、外部デバイスと、コンピュータデバイス１１００との間の通信とともに、コンピュータデバイス１１００上のコンポーネント間の通信を搬送してもよい。例えば、通信コンポーネント１１０６は、１つ以上のバスを含んでもよく、外部デバイスとインターフェースするためにそれぞれ動作可能な送信機および受信機に関係付けられている、送信チェーンコンポーネントならびに受信チェーンコンポーネントをさらに含んでもよい。
【００６７】
さらに、コンピュータデバイス１１００は、データ記憶装置１１０８をさらに含んでもよく、データ記憶装置１１０８は、ハードウェアおよび／またはソフトウェアの何らかの適切な組み合わせとすることができ、ここで説明する態様に関連して用いられる情報、データベース、および、プログラムの大容量記憶装置を提供する。例えば、データ記憶装置１１０８は、プロセッサ１１０２によって現在実行されていないアプリケーションに対するデータリポジトリであってもよい。
【００６８】
コンピュータデバイス１１００は、コンピュータデバイス１１００のユーザから入力を受け取るように動作可能であり、ユーザに対する提示のための出力を発生させるようにさらに動作可能な、インターフェースコンポーネント１１１０をオプション的に含んでもよい。インターフェースコンポーネント１１１０は、これらに限定されないが、キーボード、数字パッド、マウス、タッチセンシティブディスプレイ、ナビゲーションキー、ファンクションキー、マイクロフォン、音声認識コンポーネント、ユーザからの入力を受け取ることができる他の何らかのメカニズム、または、これらの何らかの組み合わせを含む、１つ以上の入力デバイスを含んでもよい。さらに、インターフェースコンポーネント１１１０は、これらに限定されないが、ディスプレイ、スピーカー、ハプティックフィードバックメカニズム、プリンタ、ユーザに出力を提示可能な他の何らかのメカニズム、または、これらの何らかの組み合わせを含む、１つ以上の出力デバイスを含んでもよい。別の例では、インターフェースコンポーネント１１１０は、コンピュータデバイス１１００上で機能を実行するために１つ以上のデバイスによってアクセスできる、アプリケーションプログラミングインターフェース（ＡＰＩ）とすることができる。
【００６９】
加えて、描写されている例では、コンピュータデバイス１１００は、メッセージコンポーネント１１１２、ネットワークエリア識別子決定コンポーネント１１１４、メッセージルーティングコンポーネント１１１６、メッセージ受信コンポーネント１１１８、または、ゲートウェイ存在決定コンポーネント１１２０のうちの１つ以上をオプション的に含むことができる。したがって、ここで説明する他のコンポーネントに類似のものとすることができる、これらのコンポーネント１１１２、１１１４、１１１６、１１１８、および／または、１１２０は、説明したように、それらに関係付けられている命令を実行するためにプロセッサ１１０２を利用でき、それらに関係付けられている情報を記憶するためにメモリ１１０４を利用でき、通信を実行するために通信コンポーネント１１０６を利用でき、ならびに／あるいは、これらに類似することができる。加えて、コンピュータデバイス１１００は、ここで説明する追加のコンポーネントまたは代替的なコンポーネントを含むことができることを正しく認識すべきである。
【００７０】
図１２を参照すると、図示されているのは、ポジショニングプロトコルのメッセージをルーティングするシステム１２００である。例えば、システム１２００は、ｅＳＭＬＣ内または他のコアネットワークコンポーネント内等に少なくとも部分的に存在することができる。機能ブロックを含むものとして、システム１２００が表され、機能ブロックは、プロセッサ、ソフトウェア、または、それらの組み合わせ（例えば、ファームウェア）により実現される機能を表す機能ブロックとすることができることを、正しく認識すべきである。システム１２００は、共に動作することができる電気コンポーネントの論理グルーピング１２０２を含む。例えば、論理グルーピング１２０２は、基地局に関係付けられているポジショニングプロトコルのメッセージを発生させる電気コンポーネント１２０４を含むことができる。説明するように、メッセージは、ポジショニング、タイミング、ポジショニング更新の肯定応答、および／または、これらに類似するものに関連する１つ以上のパラメータを含むことができる。さらに、論理グルーピング１２０２は、基地局に関係付けられているネットワークエリア識別子を決定する電気コンポーネント１２０６を含むことができる。
【００７１】
説明するように、例えば、電気コンポーネント１２０６は、基地局識別子へのネットワークエリア識別子のマッピングを（例えば、メモリ１２１０中またはその他のものの中に）記憶して、その後、基地局の識別子に関係付けられているネットワークエリア識別子を決定できる。さらに、論理グルーピング１２０２は、ネットワークエリア識別子に少なくとも部分的に基づいて、中間ネットワークノードにメッセージを配信する電気コンポーネント１２０８を含むことができる。例えば、電気コンポーネント１２０４は、上述したようなメッセージコンポーネント２１０を含むことができる。加えて、例えば、電気コンポーネント１２０６は、ある態様では、上述したようなネットワークエリア識別子決定コンポーネント２１２を含むことができる。さらに、電気コンポーネント１２０８は、ある態様では、上述したようなメッセージルーティングコンポーネント２１４を含むことができる。さらに、システム１２００は、電気コンポーネント１２０４、１２０６、および、１２０８に関係付けられている機能を実行するための命令を保持するメモリ１２１０を含むことができる。メモリ１２１０の外部にあるとして示されているが、電気コンポーネント１２０４、１２０６、および、１２０８のうちの１つ以上は、メモリ１２１０内に存在できることを理解すべきである。
【００７２】
１つの例では、電気コンポーネント１２０４、１２０６、および、１２０８は、少なくとも１つのプロセッサを含むことができ、あるいは、各電気コンポーネント１２０４、１２０６、および、１２０８は、少なくとも１つのプロセッサの対応するモジュールとすることができる。さらに、追加の例または代替的な例では、電気コンポーネント１２０４、１２０６、および、１２０８は、コンピュータ読取可能媒体を具備するコンピュータプロダクトとすることができ、ここで、各電気コンポーネント１２０４、１２０６、および、１２０８は、対応するコードとすることができる。
【００７３】
図１３を参照すると、図示されているのは、ポジショニングプロトコルのメッセージをルーティングするシステム１３００である。例えば、システム１３００は、ＭＭＥ内または他のコアネットワークコンポーネント内等に少なくとも部分的に存在することができる。機能ブロックを含むものとして、システム１３００が表され、機能ブロックは、プロセッサ、ソフトウェア、または、それらの組み合わせ（例えば、ファームウェア）により実現される機能を表す機能ブロックとすることができることを、正しく認識すべきである。システム１３００は、共に動作することができる電気コンポーネントの論理グルーピング１３０２を含む。例えば、論理グルーピング１３０２は、ポジショニングプロトコルのメッセージ中で、基地局に関連するネットワークエリア識別子を受信する電気コンポーネント１３０４を含むことができる。さらに、論理グルーピング１３０２は、ネットワークエリア識別子に少なくとも部分的に基づいて、ゲートウェイが存在するか否かを決定する電気コンポーネント１３０６を含むことができる。説明するように、例えば、電気コンポーネント１３０６は、ゲートウェイの識別子へのネットワークエリア識別子のマッピングを記憶でき、マッピング中でネットワークエリア識別子の位置を突き止めることに少なくとも部分的に基づいて、ゲートウェイの存在を決定できる。
【００７４】
さらに、論理グルーピング１３０２は、ゲートウェイが存在するか否かに少なくとも部分的に基づいて、ネットワークノードにメッセージを配信する電気コンポーネント１３０８を含むことができる。説明したように、ゲートウェイが存在する場合には、電気コンポーネント１３０８は、ゲートウェイにメッセージを配信することができ、メッセージ中に基地局の識別子を含めることができる。例えば、ゲートウェイが存在しない場合には、電気コンポーネント１３０８は、基地局にメッセージを配信することができる。例えば、電気コンポーネント１３０４は、上述したようなメッセージ受信コンポーネント３１０を含むことができる。加えて、例えば、電気コンポーネント１３０６は、ある態様では、上述したようなゲートウェイ存在決定コンポーネント３１２を含むことができる。さらに、電気コンポーネント１３０８は、ある態様では、上述したようなメッセージルーティングコンポーネント３１４を含むことができる。さらに、システム１３００は、電気コンポーネント１３０４、１３０６、および、１３０８に関係付けられている機能を実行するための命令を保持するメモリ１３１０を含むことができる。メモリ１３１０の外部にあるとして示されているが、電気コンポーネント１３０４、１３０６、および、１３０８のうちの１つ以上は、メモリ１３１０内に存在できることを理解すべきである。
【００７５】
１つの例では、電気コンポーネント１３０４、１３０６、および、１３０８は、少なくとも１つのプロセッサを含むことができ、あるいは、各電気コンポーネント１３０４、１３０６、および、１３０８は、少なくとも１つのプロセッサの対応するモジュールとすることができる。さらに、追加の例または代替的な例では、電気コンポーネント１３０４、１３０６、および、１３０８は、コンピュータ読取可能媒体を具備するコンピュータプロダクトとすることができ、ここで、各電気コンポーネント１３０４、１３０６、および、１３０８は、対応するコードとすることができる。
【００７６】
図１４を参照すると、図示されているのは、ポジショニング情報を更新するシステム１４００である。例えば、システム１４００は、基地局内、移動デバイス内等に少なくとも部分的に存在することができる。機能ブロックを含むものとして、システム１４００が表され、機能ブロックは、プロセッサ、ソフトウェア、または、それらの組み合わせ（例えば、ファームウェア）により実現される機能を表す機能ブロックとすることができることを、正しく認識すべきである。システム１４００は、共に動作することができる電気コンポーネントの論理グルーピング１４０２を含む。例えば、論理グルーピング１４０２は、ポジションに関連する１つ以上のパラメータの修正を検出する電気コンポーネント１４０４を含むことができる。説明したように、電気コンポーネント１４０４は、ロケーション（例えば、ＧＰＳロケーション）、および／または、これに類似するもののような、パラメータを監視できる。
【００７７】
さらに、論理グルーピング１４０２は、修正された１つ以上のパラメータを含むメッセージをポジショニングサーバに通信する電気コンポーネント１４０６を含むことができる。説明したように、例えば、電気コンポーネント１４０６は、メッセージを通信するためのポジショニングプロトコルにおいて利用可能な１つ以上のメッセージを利用できる。例えば、ある態様では、電気コンポーネント１４０４は、上述したようなコンフィギュレーション修正検出コンポーネント４１０を含むことができる。加えて、例えば、電気コンポーネント１４０６は、ある態様では、上述したようなポジショニングサーバ通信コンポーネント４１２を含むことができる。さらに、システム１４００は、電気コンポーネント１４０４および１４０６に関係付けられている機能を実行するための命令を保持するメモリ１４０８を含むことができる。メモリ１４０８の外部にあるとして示されているが、電気コンポーネント１４０４および１４０６のうちの１つ以上は、メモリ１４０８内に存在できることを理解すべきである。
【００７８】
１つの例では、電気コンポーネント１４０４および１４０６は、少なくとも１つのプロセッサを含むことができ、あるいは、各電気コンポーネント１４０４および１４０６は、少なくとも１つのプロセッサの対応するモジュールとすることができる。さらに、追加の例または代替的な例では、電気コンポーネント１４０４および１４０６は、コンピュータ読取可能媒体を具備するコンピュータプロダクトとすることができ、ここで、各電気コンポーネント１４０４および１４０６は、対応するコードとすることができる。
【００７９】
ここで図１５を参照すると、ここで提示したさまざまな実施形態にしたがった、ワイヤレス通信システム１５００が図示されている。システム１５００は、複数のアンテナグループを含むことができる基地局１５０２を含んでいる。例えば、１つのアンテナグループは、アンテナ１５０４およびアンテナ１５０６を含むことができ、別のグループは、アンテナ１５０８およびアンテナ１５１０を含むことができ、追加のグループは、アンテナ１５１２およびアンテナ１５１４を含むことができる。各アンテナグループに対して２つのアンテナが図示されているが、各グループに対して、より多いまたはより少ないアンテナを利用できる。正しく認識されるように、基地局１５０２は、送信機チェーンと受信機チェーンをさらに含むことができ、それらのそれぞれは、信号の送信および受信に関係する複数のコンポーネント（例えば、プロセッサ、変調器、マルチプレクサ、復調器、デマルチプレクサ、アンテナ等）をさらに含むことができる。
【００８０】
基地局１５０２は、移動デバイス１５１６および移動デバイス１５２２のような、１つ以上の移動デバイスと通信できる。しかしながら、移動デバイス１５１６および１５２２に類似する実質的に任意の数の移動デバイスと、基地局１５０２が通信できることを、正しく認識すべきである。移動デバイス１５１６および１５２２は、例えば、セルラ電話機、スマートフォン、ラップトップ、ハンドヘルド通信デバイス、ハンドヘルドコンピューティングデバイス、衛星ラジオ、グローバルポジショニングシステム、ＰＤＡ、および／または、ワイヤレス通信システム１５００を通して通信するための他の何らかの適切なデバイスとすることができる。描写するように、移動デバイス１５１６は、アンテナ１５１２および１５１４と通信しており、ここで、アンテナ１５１２および１５１４は、フォワードリンク１５１８を通して移動デバイス１５１６に情報を送信し、リバースリンク１５２０を通して移動デバイス１５１６から情報を受信する。さらに、移動デバイス１５２２は、アンテナ１５０４および１５０６と通信しており、ここで、アンテナ１５０４および１５０６は、フォワードリンク１５２４を通して移動デバイス１５２２に情報を送信し、リバースリンク１５２６を通して移動デバイス１５２２から情報を受信する。周波数分割複信（ＦＤＤ）システムにおいて、例えば、フォワードリンク１５１８は、リバースリンク１５２０により使用されるものとは異なる周波数帯域を利用でき、フォワードリンク１５２４は、リバースリンク１５２６により用いられるものとは異なる周波数帯域を用いることができる。さらに、時分割複信（ＴＤＤ）システムにおいて、フォワードリンク１５１８およびリバースリンク１５２０は、共通の周波数帯域を利用でき、フォワードリンク１５２４およびリバースリンク１５２６は、共通の周波数帯域を利用できる。
【００８１】
アンテナの各グループをおよび／またはアンテナの各グループが通信するように設計されているエリアを、基地局１５０２のセクタと呼ぶことがある。例えば、アンテナグループは、基地局１５０２によりカバーされているエリアのセクタ中の移動デバイスに通信するように設計することができる。フォワードリンク１５１８および１５２４を通しての通信では、基地局１５０２の送信アンテナは、移動デバイス１５１６および１５２２に対するフォワードリンク１５１８および１５２４の信号対ノイズ比を改善するために、ビームフォーミングを利用できる。また、基地局１５０２は、ビームフォーミングを使用して、関係するカバレッジ中にランダムに散らばっている移動デバイス１５１６および１５２２に送信するが、単一のアンテナを通してそのすべての移動デバイスに送信する基地局と比較したときに、隣接するセル中の移動デバイスは、より少ない干渉を受けることがある。さらに、移動デバイス１５１６および１５２２は、描写したようなピア・ツー・ピア技術またはアドホック技術を使用して、互いに直接通信できる。例にしたがうと、システム１５００は、複数入力複数出力（ＭＩＭＯ）通信システムとすることができる。
【００８２】
図１６は、例示的なワイヤレス通信システム１６００を示している。簡潔にするために、ワイヤレス通信システム１６００は、１つの基地局１６１０と１つの移動デバイス１６５０を描写している。しかしながら、システム１６００は、１つより多い基地局、および／または、１つより多い移動デバイスを含むことができ、ここで、追加の基地局、および／または、追加の移動デバイスは、以下で説明する例示的な基地局１６１０および移動デバイス１６５０と実質的に類似することがある、または、異なることがあることを正しく認識すべきである。加えて、基地局１６１０および／または移動デバイス１６５０が、それらの間でのワイヤレス通信を促進するために、ここで説明したシステム（図１〜６、図１０、図１２〜１５）、コンピュータデバイス（図１１）、および／または、方法（図７〜図９）を用いることができることを正しく認識すべきである。例えば、ここで説明したシステムならびに／あるいは方法のコンポーネントまたは機能は、以下で説明するメモリ１６３２および／または１６７２の、もしくは、プロセッサ１６３０および／または１６７０の一部とすることができ、ならびに／あるいは、開示している機能を実行するために、プロセッサ１６３０および／または１６７０により実行することができる。
【００８３】
基地局１６１０において、多数のデータストリームに対するトラフィックデータが、データソース１６１２から送信（ＴＸ）データプロセッサ１６１４に提供される。例にしたがって、それぞれのアンテナを通して、各データストリームを送信できる。ＴＸデータプロセッサ１６１４は、コード化されたデータを提供するために、そのデータストリームに対して選択された特定のコーディングスキームに基づいて、トラフィックデータストリームをフォーマットでき、コード化でき、および、インターリーブできる。
【００８４】
各データストリームに対してコード化されたデータは、直交周波数分割多重化（ＯＦＤＭ）技術を使用して、パイロットデータと多重化することができる。さらに、または、代替的に、パイロットシンボルは、周波数分割多重化（ＦＤＭ）でき、時分割多重化（ＴＤＭ）でき、または、コード分割多重化（ＣＤＭ）できる。パイロットデータは、典型的に、既知の方法で処理される既知のデータパターンであり、チャネル応答を推定するために、移動デバイス１６５０において使用することができる。各データストリームに対する多重化されたパイロットおよびコード化データは、変調シンボルを提供するために、そのデータストリームに対して選択された特定の変調スキーム（例えば、２位相シフトキーイング（ＢＰＳＫ）や、４位相シフトキーイング（ＱＰＳＫ）や、Ｍ位相シフトキーイング（Ｍ−ＰＳＫ）や、Ｍ直角位相振幅変調（Ｍ−ＱＡＭ）等）に基づいて、変調（例えば、シンボルマッピング）することができる。各データストリームに対するデータレート、コーディング、および、変調は、プロセッサ１６３０により実行または提供される命令によって、決定できる。
【００８５】
データストリームに対する変調シンボルは、ＴＸ ＭＩＭＯプロセッサ１６２０に提供することができ、ＴＸ ＭＩＭＯプロセッサ１６２０は、（例えば、ＯＦＤＭに対する）変調シンボルをさらに処理することができる。その後、ＴＸ ＭＩＭＯプロセッサ１６２０は、ＮＴ台の送信機（ＴＭＴＲ）１６２２ａないし１６２２ｔにＮＴ個の変調シンボルストリームを提供できる。さまざまな実施形態では、ＴＸ ＭＩＭＯプロセッサ１６２０は、データストリームのシンボルと、そこからシンボルが送信されているアンテナとに、ビームフォーミングの重みを適用する。
【００８６】
各送信機１６２２は、それぞれのシンボルストリームを受け取って処理して、１つ以上のアナログ信号を提供し、さらに、アナログ信号を調整して（例えば、増幅して、フィルタリングして、および、アップコンバートして）、ＭＩＭＯチャネルを通しての送信に適した変調信号を提供する。さらに、送信機１６２２ａないし１６２２ｔからのＮＴ個の変調信号を、ＮＴ本のアンテナ１６２４ａないし１６２４ｔからそれぞれ送信する。
【００８７】
移動デバイス１６５０において、送信された変調信号は、ＮＲ本のアンテナ１６５２ａないし１６５２ｒにより受信され、各アンテナ１６５２からの受信信号は、それぞれの受信機（ＲＣＶＲ）１６５４ａないし１６５４ｒに提供される。各受信機１６５４は、それぞれの信号を調整し（例えば、フィルタリングし、増幅し、および、ダウンコンバートし）、調整した信号をデジタル化してサンプルを提供し、さらに、サンプルを処理して、対応する“受信した”シンボルストリームを提供する。
【００８８】
ＲＸデータプロセッサ１６６０が、ＮＲ個の受信したシンボルストリームをＮＲ台の受信機１６５４から受け取って、特定の受信機処理技術に基づいて処理し、ＮＴ個の“検出した”シンボルストリームを提供することができる。ＲＸデータプロセッサ１６６０は、各検出したシンボルストリームを復調し、デインターリーブし、および、デコードして、データストリームに対するトラフィックデータを復元できる。ＲＸデータプロセッサ１６６０による処理は、基地局１６１０においてＴＸ ＭＩＭＯプロセッサ１６２０およびＴＸデータプロセッサ１６１４により実行される処理と相補的である。
【００８９】
リバースリンクメッセージは、通信リンクおよび／または受信したデータストリームに関するさまざまなタイプの情報を含むことができる。リバースリンクメッセージは、ＴＸデータプロセッサ１６３８により処理することができ、ＴＸデータプロセッサ１６３８は、多数のデータストリームに対するトラフィックデータを、データソース１６３６から受け取り、変調器１６８０により変調し、送信機１６５４ａないし１６５４ｒにより調整し、基地局１６１０に返信する。
【００９０】
基地局１６１０において、移動デバイス１６５０からの変調信号を、アンテナ１６２４により受信し、受信機１６２２により調整し、復調器１６４０により復調し、および、ＲＸデータプロセッサ１６４２により処理して、移動デバイス１６５０により送信されたリバースリンクメッセージを抽出する。さらに、プロセッサ１６３０は、抽出したメッセージを処理して、ビームフォーミングの重みを決定するためにどのプリコーディングマトリックスを使用するかを決定できる。
【００９１】
プロセッサ１６３０とプロセッサ１６７０とが、基地局１６１０および移動デバイス１６５０における動作をそれぞれ命令する（例えば、制御する、調整する、管理する等）ことができる。それぞれのプロセッサ１６３０ならびに１６７０は、プログラムコードおよびデータを記憶するメモリ１６３２ならびにメモリ１６７２に関係付けることができる。プロセッサ１６３０および１６７０は、アップリンクとダウンリンクとに対する周波数応答推定およびインパルス応答推定を、それぞれ導出するための計算も実行できる。
【００９２】
図１７は、多数のユーザをサポートするように構成されており、ここでの教示を実現してもよい、ワイヤレス通信システム１７００を図示する。システム１７００は、例えば、マクロセル１７０２Ａ〜１７０２Ｇのような、複数のセル１７０２に通信を提供し、各セルは、対応するアクセスノード１７０４（例えば、アクセスノード１７０４Ａ〜１７０４Ｇ）によりサービスが提供されている。図１７において示されているように、アクセス端末１７０６（例えば、アクセス端末１７０６Ａ〜１７０６Ｌ）は、経時的に、システム全体を通してさまざまなロケーションに散らばることがある。各アクセス端末１７０６は、例えば、アクセス端末１７０６がアクティブであるか否かと、アクセス端末１７０６がソフトハンドオフ中であるか否かに依存して、所定の瞬間において、フォワードリンク（ＦＬ）上および／またはリバースリンク（ＲＬ）上で、１つ以上のアクセスノード１７０４と通信できる。ワイヤレス通信システム１７００は、大きな地理的領域を通してサービスを提供できる。
【００９３】
図１８は、１つ以上のフェムトノードがネットワーク環境内に配備されている例示的な通信システム１８００を図示している。特に、システム１８００は、（例えば、１つ以上のユーザの住宅１８３０のような）比較的小さいスケールのネットワーク環境中に設置されている複数のフェムトノード１８１０Ａおよび１８１０Ｂ（例えば、フェムトノードまたはＨｅＮＢ）を含む。各フェムトノード１８１０は、デジタル加入者線（ＤＳＬ）ルータや、ケーブルモデムや、ワイヤレスリンクや、または（示されていない）他の接続性手段を介して、ワイドエリアネットワーク１８４０（例えば、インターネット）および移動体オペレータコアネットワーク１８５０に結合できる。以下で論じるように、関係付けられているアクセス端末１８２０（例えば、アクセス端末１８２０Ａ）と、オプション的に、エイリアンアクセス端末１８２０（例えば、アクセス端末１８２０Ｂ）とを担当するように各フェムトノード１８１０を構成できる。言い換えると、１組の指定されている（例えば、ホーム）フェムトノード１８１０によって所定のアクセス端末１８２０を担当してもよいが、何らかの指定されていないフェムトノード１８１０（例えば、隣接のフェムトノード）によって所定のアクセス端末１８２０を担当しなくてもよいように、フェムトノード１８１０に対するアクセスを制限できる。
【００９４】
図１９は、いくつかのトラッキングエリア１９０２（または、ルーティングエリアまたはロケーションエリア）が規定され、そのそれぞれがいくつかのマクロカバレッジエリア１９０４を含むカバレッジマップ１９００の例を図示している。ここで、トラッキングエリア１９０２Ａ、１９０２Ｂ、および、１９０２Ｃに関係するカバレッジのエリアは、幅広の線により線引きされ、マクロカバレッジエリア１９０４は、六角形により表されている。トラッキングエリア１９０２はまた、フェムトカバレッジエリア１９０６を含んでいる。この例では、フェムトカバレッジエリア１９０６のそれぞれ（例えば、フェムトカバレッジエリア１９０６Ｃ）は、マクロカバレッジエリア１９０４（例えば、マクロカバレッジエリア１９０４Ｂ）内に描写されている。しかしながら、フェムトカバレッジエリア１９０６は、マクロカバレッジエリア１９０４内にまったく位置していなくてもよいことを正しく認識すべきである。実際には、非常に多数のフェムトカバレッジエリア１９０６を、所定のトラッキングエリア１９０２内に、または、マクロカバレッジエリア１９０４内に規定できる。また、（示されていない）１つ以上のピコカバレッジエリアを、所定のトラッキングエリア１９０２内に、または、マクロカバレッジエリア１９０４内に規定できる。
【００９５】
再度図１８を参照すると、フェムトノード１８１０の所有者は、例えば、３Ｇ移動体サービスのような、移動体オペレータコアネットワーク１８５０を通して提供される移動体サービスに加入することがある。加えて、アクセス端末１８２０は、マクロ環境と、より小さいスケール（例えば、住宅の）ネットワーク環境との双方で動作することが可能であることがある。したがって、例えば、アクセス端末１８２０の現在のロケーションに依存して、アクセスノード１８６０により、または、１組のフェムトノード１８１０のうちの何らかの１つ（例えば、対応するユーザの住宅１８３０内に内在するフェムトノード１８１０Ａおよび１８１０Ｂ）により、アクセス端末１８２０を担当できる。例えば、加入者が自身の家の外にいるときには、加入者は、標準的なマクロアクセスノード（例えば、ノード１８６０）により担当され、加入者が自身の家にいるときには、加入者は、フェムトノード（例えば、ノード１８１０Ａ）により担当される。ここで、フェムトノード１８１０は、既存のアクセス端末１８２０と下位互換性があることがあることを正しく認識すべきである。
【００９６】
フェムトノード１８１０は、単一の周波数上に配備されてもよく、または、代替的に、複数の周波数上に配備されてもよい。特定のコンフィギュレーションに依存して、単一の周波数または複数の周波数のうちの１つ以上は、マクロセルアクセスノード（例えば、ノード１８６０）により使用される１つ以上の周波数とオーバーラップすることがある。いくつかの態様では、このような接続性が可能であるときはいつでも、好ましいフェムトノード（例えば、アクセス端末１８２０のホームフェムトノード）に接続するように、アクセス端末１８２０を構成できる。例えば、アクセス端末１８２０がユーザの住宅１８３０内にあるときにはいつでも、アクセス端末１８２０は、ホームフェムトノード１８１０と通信できる。
【００９７】
いくつかの態様では、アクセス端末１８２０が、移動体オペレータコアネットワーク１８５０内で動作しているが、（例えば、好ましいローミングリスト中に規定されているような）その最も好ましいネットワーク上に存在していない場合に、より良いシステムが現在利用可能であるか否かを決定するために、利用可能なシステムの周期的なスキャニングと、このような好ましいシステムに関係付けるための後続する活動とを伴うことがあるベターシステムリセレクション（ＢＳＲ）を使用して、アクセス端末１８２０は、最も好ましいネットワーク（例えば、好ましいフェムトノード１８１０）のサーチを継続してもよい。１つの例では、（例えば、好ましいローミングリスト中の）捕捉テーブルエントリを使用して、アクセス端末１８２０は、特定の帯域およびチャネルにサーチを制限することがある。例えば、最も好ましいシステムに対するサーチを周期的に繰り返すことができる。フェムトノード１８１０のような、好ましいフェムトノードを発見すると、そのカバレッジエリア内にキャンプするために、アクセス端末１８２０はフェムトノード１８１０を選択する。
【００９８】
いくつかの態様において、フェムトノードが制限されることがある。例えば、所定のフェムトノードは、あるアクセス端末に対してあるサービスのみを提供できる。いわゆる制限されている（または閉じている）アソシエーションを有する配備では、所定のアクセス端末だけが、マクロセル移動体ネットワークと、規定された組のフェムトノード（例えば、対応するユーザの住宅１８３０内に内在するフェムトノード１８１０）とによって担当されることがある。いくつかの構成では、少なくとも１つのアクセス端末に対して、シグナリング、データアクセス、登録、ページング、または、サービスのうちの少なくとも１つを提供しないようにノードを制限することがある。
【００９９】
いくつかの態様では、（閉じている加入者グループＨｅＮＢと呼ぶこともある）制限されているフェムトノードは、制限付きで設定された１組のアクセス端末にサービスを提供するものである。この設定は、一時的に、または、必要に応じて永久的に、拡張できる。いくつかの態様では、閉じている加入者グループ（ＣＳＧ）は、アクセス端末の共通アクセス制御リストを共有するアクセスノード（例えば、フェムトノード）の組として規定できる。領域中のすべてのフェムトノード（または、すべての制限されたフェムトノード）がその上で動作するチャネルを、フェムトチャネルと呼ぶことがある。
【０１００】
したがって、所定のフェムトノードと所定のアクセス端末との間に、さまざまな関係が存在することがある。例えば、アクセス端末の観点から、開いたフェムトノードは、制限されていないアソシエーションを持つフェムトノードのことを指すことがある。制限されているフェムトノードは、何らかの方法で制限されている（例えば、アソシエーションおよび／または登録に対して制限されている）フェムトノードのことを指すことがある。ホームフェムトノードは、そのフェムトノードにアクセスし、その上で動作することがアクセス端末に認可されているフェムトノードのことを指すことがある。ゲストフェムトノードは、そのフェムトノードにアクセスし、その上で動作することがアクセス端末に一時的に認可されているフェムトノードのことを指すことがある。エイリアンフェムトノードは、緊急と思われる事態（例えば、９１１通話）を除いて、そのフェムトノードにアクセスし、その上で動作することがアクセス端末に認可されていないフェムトノードのことを指すことがある。
【０１０１】
制限されているフェムトノードの観点から、ホームアクセス端末は、制限されているフェムトノードにアクセスすることが認可されているアクセス端末のことを指すことがある。ゲストアクセス端末は、制限されているフェムトノードへの一時的なアクセスを持つアクセス端末のことを指すことがある。エイリアンアクセス端末は、例えば９１１通話のような緊急と思われる事態を除いて、制限されているフェムトノードにアクセスする許可を有していないアクセス端末（例えば、制限されているフェムトノードに登録するための信用証明または許可を有していないアクセス端末）のことを指すことがある。
【０１０２】
便宜上、ここでの開示は、フェムトノードの文脈でのさまざまな機能性を説明している。しかしながら、より大きいカバレッジエリアに対して、ピコノードが、フェムトノードと同じまたは類似する機能性を提供できることを正しく認識すべきである。例えば、ピコノードが制限されることがあり、所定のアクセス端末に対してホームピコノードを規定できる等である。
【０１０３】
ワイヤレス多元接続通信システムは、複数のワイヤレスアクセス端末に対する通信を同時にサポートできる。前述したように、各端末は、フォワードリンク上およびリバースリンク上での送信を介して、１つ以上の基地局と通信できる。フォワードリンク（または、ダウンリンク）は、基地局から端末への通信リンクのことを指し、リバースリンク（または、アップリンク）は、端末から基地局への通信リンクのことを指す。この通信リンクは、単一入力単一出力システム、ＭＩＭＯシステム、または、他の何らかのタイプのシステムを介して、確立できる。
【０１０４】
ここで開示した実施形態に関連して説明した、さまざまな例示的な論理、論理ブロック、モジュール、コンポーネント、および、回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、ここで説明した機能を実行するように設計されているこれらの任意の組み合わせで、実現または実行されてもよい。汎用プロセッサは、マイクロプロセッサであってもよいが、代替的に、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサとの組み合わせ、複数のマイクロプロセッサ、ＤＳＰコアを伴った１つ以上のマイクロプロセッサ、あるいは、このようなコンフィギュレーションの他の何らかのものとして実現されてもよい。さらに、少なくとも１つのプロセッサは、上述したステップおよび／またはアクションのうちの１つ以上を実行するように動作可能な１つ以上のモジュールを含んでもよい。例示的な記憶媒体は、プロセッサが記憶媒体から情報を読み取り、記憶媒体に情報を書き込むことができるようにプロセッサに結合されてもよい。代替実施形態では、記憶媒体は、プロセッサと一体化されてもよい。さらに、いくつかの態様では、プロセッサおよび記憶媒体は、ＡＳＩＣに存在してもよい。さらに、ＡＳＩＣは、ユーザ端末に存在してもよい。代替実施形態では、プロセッサおよび記憶媒体は、ユーザ端末中のディスクリートコンポーネントとして存在してもよい。
【０１０５】
１つ以上の態様では、説明した機能、方法、または、アルゴリズムは、ハードウェアで、ソフトウェアで、ファームウェアで、または、これらの何らかの組み合わせで実現されてもよい。ソフトウェアで実現された場合、機能は、１つ以上の命令またはコードとして、コンピュータ読取可能媒体上に記憶または送信されてもよく、コンピュータ読取可能媒体は、コンピュータプログラムプロダクト中に組み込まれていてもよい。コンピュータ読取可能媒体は、１つの場所から別の場所へのコンピュータプログラムの転送を促進する何らかの媒体を含む、コンピュータ記憶媒体と通信媒体の双方を含む。記憶媒体は、コンピュータによってアクセスできる何らかの利用可能な媒体であってもよい。例として、このようなコンピュータ読取可能媒体は、これらに限定されないが、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを搬送または記憶するために使用できる他の何らかの媒体を含むことがある。また、実質的に任意の接続は、コンピュータ読取可能媒体と呼んでもよい。例えば、同軸ケーブル、光ファイバケーブル、撚り対、デジタル加入者線（ＤＳＬ）、あるいは、赤外線、無線、および、マイクロ波のようなワイヤレス技術を使用しているウェブサイト、サーバ、または、他の遠隔ソースから、ソフトウェアが送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。先のものを組み合わせたものも、コンピュータ読取可能媒体の範囲内に含められるべきである。
【０１０６】
先述の開示は、例示的な態様および／または実施形態を論じているが、添付の特許請求の範囲によって規定されているような、説明した態様および／または実施形態の範囲から逸脱することなく、ここでさまざまな変更および改良を行うことができることに留意すべきである。さらに、説明した態様および／または実施形態のエレメントは、単数形で説明され、請求されていることがあるが、単数形への限定が明示的に述べられていない限り、複数形が考えられる。さらに、そうではないと述べられていない限り、他の何らかの態様および／または実施形態のすべて、または、その一部とともに、いずれの態様ならびに／あるいは実施形態のすべて、または、その一部を利用してもよい。
以下に、本願出願の当初の特許請求の範囲に記載された発明を付記する。
［１］  ワイヤレスネットワーク中でポジショニングプロトコルのメッセージを通信する方法において、基地局に関係付けられているポジショニングプロトコルのメッセージを発生させることと、前記基地局に関係付けられているネットワークエリア識別子を決定することと、前記ネットワークエリア識別子に少なくとも部分的に基づいて、中間ネットワークノードに前記メッセージを配信することとを含む方法。
［２］  前記基地局の識別子を決定することをさらに含み、前記ネットワークエリア識別子を決定することは、前記基地局の前記識別子に少なくとも部分的に基づいている［１］記載の方法。
［３］  前記基地局の前記識別子を前記基地局から受信することをさらに含む［２］記載の方法。
[４]  前記ネットワークエリア識別子への、前記基地局の前記識別子のマッピングを記憶することをさらに含み、前記ネットワークエリア識別子を決定することは、前記マッピングに少なくとも部分的に基づいている[２]記載の方法。
[５]  前記中間ネットワークノードに前記メッセージを配信することは、前記メッセージに前記ネットワークエリア識別子を含めることをさらに含む[２]記載の方法。
[６]  前記中間ネットワークノードは、移動性管理エンティティであり、前記ポジショニングプロトコルは、ロングタームエボリューションポジショニングプロトコルアネックスである[１]記載の方法。
[７]  ワイヤレスネットワーク中でポジショニングプロトコルのメッセージをルーティングする装置において、基地局に関係付けられているポジショニングプロトコルのメッセージを発生させるようにと、前記基地局に関係付けられているネットワークエリア識別子を決定するようにと、前記ネットワークエリア識別子に少なくとも部分的に基づいて、中間ネットワークノードに前記メッセージを提供するように構成されている少なくとも１つのプロセッサと、前記少なくとも１つのプロセッサに結合されているメモリとを具備する装置。
[８]  前記少なくとも１つのプロセッサは、前記メッセージに関連する前記基地局の識別子を決定するようにさらに構成され、前記少なくとも１つのプロセッサは、前記基地局の前記識別子に少なくとも部分的に基づいて、前記ネットワークエリア識別子を決定する[７]記載の装置。
[９]  前記少なくとも１つのプロセッサは、前記基地局の前記識別子を前記基地局から受信するようにさらに構成されている[８]記載の装置。
[１０]  前記少なくとも１つのプロセッサは、前記ネットワークエリア識別子への、前記基地局の前記識別子の記憶されているマッピングに少なくとも部分的に基づいて、前記ネットワークエリア識別子を決定する[８]記載の装置。
[１１]  前記少なくとも１つのプロセッサは、前記メッセージ中に前記ネットワークエリア識別子を含めるようにさらに構成されている[８]記載の装置。
[１２]  前記中間ネットワークノードは、移動性管理エンティティであり、前記ポジショニングプロトコルは、ロングタームエボリューションポジショニングプロトコルアネックスである[７]記載の装置。
[１３]  ワイヤレスネットワーク中でポジショニングプロトコルのメッセージをルーティングする装置において、基地局に関係付けられているポジショニングプロトコルのメッセージを発生させる手段と、前記基地局に関係付けられているネットワークエリア識別子を決定する手段と、前記ネットワークエリア識別子に少なくとも部分的に基づいて、中間ネットワークノードに前記メッセージを配信する手段とを具備する装置。
[１４]  前記決定する手段は、さらに、前記メッセージに関連する前記基地局の識別子を決定し、前記基地局の前記識別子に少なくとも部分的に基づいて、前記ネットワークエリア識別子を決定する[１３]記載の装置。
[１５]  前記基地局の前記識別子を前記基地局から受信する手段をさらに具備する[１４]記載の装置。
[１６]  前記決定する手段は、前記ネットワークエリア識別子への、前記基地局の前記識別子のマッピングを記憶し、前記マッピングに少なくとも部分的に基づいて、前記ネットワークエリア識別子を決定する[１４]記載の装置。
[１７]  前記配信する手段は、さらに、前記メッセージに前記ネットワークエリア識別子を含める[１４]記載の装置。
[１８]  前記中間ネットワークノードは、移動性管理エンティティであり、前記ポジショニングプロトコルは、ロングタームエボリューションポジショニングプロトコルアネックスである[１３]記載の装置。
[１９]  ワイヤレスネットワーク中でポジショニングプロトコルのメッセージをルーティングするコンピュータプログラムプロダクトにおいて、コンピュータ読取可能媒体を具備し、前記コンピュータ読取可能媒体は、少なくとも１つのコンピュータに、基地局に関係付けられているポジショニングプロトコルのメッセージを発生させるためのコードと、前記少なくとも１つのコンピュータに、前記基地局に関係付けられているネットワークエリア識別子を決定させるためのコードと、前記少なくとも１つのコンピュータに、前記ネットワークエリア識別子に少なくとも部分的に基づいて、中間ネットワークノードに前記メッセージを提供させるためのコードとを含むコンピュータプログラムプロダクト。
[２０]  前記コンピュータ読取可能媒体は、前記少なくとも１つのコンピュータに、前記メッセージに関連する前記基地局の識別子を決定させるためのコードをさらに含み、前記少なくとも１つのコンピュータに決定させるためのコードは、前記基地局の前記識別子に少なくとも部分的に基づいて、前記ネットワークエリア識別子を決定する[１９]記載のコンピュータプログラムプロダクト。
[２１]  前記コンピュータ読取可能媒体は、前記少なくとも１つのコンピュータに、前記基地局の前記識別子を前記基地局から受信させるためのコードをさらに含む[２０]記載のコンピュータプログラムプロダクト。
[２２]  前記コンピュータ読取可能媒体は、前記少なくとも１つのコンピュータに、前記ネットワークエリア識別子への、前記基地局の前記識別子のマッピングを記憶させるためのコードをさらに含み、前記少なくとも１つのコンピュータに決定させるためのコードは、前記マッピングに少なくとも部分的に基づいて、前記ネットワークエリア識別子を決定する[２０]記載のコンピュータプログラムプロダクト。
[２３]  前記コンピュータ読取可能媒体は、前記少なくとも１つのコンピュータに、前記メッセージ中に前記ネットワークエリア識別子を含めさせるためのコードをさらに含む[２０]記載のコンピュータプログラムプロダクト。
[２４]  前記中間ネットワークノードは、移動性管理エンティティであり、前記ポジショニングプロトコルは、ロングタームエボリューションポジショニングプロトコルアネックスである[１９]記載のコンピュータプログラムプロダクト。
[２５]  ワイヤレスネットワーク中でポジショニングプロトコルのメッセージをルーティングする装置において、基地局に関係付けられているポジショニングプロトコルのメッセージを発生させるメッセージコンポーネントと、前記基地局に関係付けられているネットワークエリア識別子を見分けるネットワークエリア識別子決定コンポーネントと、前記ネットワークエリア識別子に少なくとも部分的に基づいて、中間ネットワークノードに前記メッセージを配信するメッセージルーティングコンポーネントとを具備する装置。
[２６]  前記ネットワークエリア識別子決定コンポーネントは、さらに、前記メッセージに関連する前記基地局の識別子を決定し、前記基地局の前記識別子に少なくとも部分的に基づいて、前記ネットワークエリア識別子を見分ける［２５］記載の装置。
［２７］  前記基地局の前記識別子を前記基地局から取得するネットワークエリア識別子受信コンポーネントをさらに具備する［２６］記載の装置。
［２８］  前記ネットワークエリア識別子決定コンポーネントは、さらに、前記ネットワークエリア識別子への、前記基地局の前記識別子のマッピングを記憶し、前記マッピングに少なくとも部分的に基づいて、前記ネットワークエリア識別子を決定する［２６］記載の装置。
［２９］  前記メッセージルーティングコンポーネントは、さらに、前記メッセージに前記ネットワークエリア識別子を含める［２６］記載の装置。
［３０］  前記中間ネットワークノードは、移動性管理エンティティであり、前記ポジショニングプロトコルは、ロングタームエボリューションポジショニングプロトコルアネックスである［２５］記載の装置。
［３１］  ワイヤレスネットワーク中でポジショニングプロトコルのメッセージをルーティングするための方法において、ポジショニングプロトコルのメッセージ中で、基地局に関連するネットワークエリア識別子を受信することと、前記ネットワークエリア識別子に少なくとも部分的に基づいて、ゲートウェイが存在するか否かを決定することと、前記ゲートウェイが存在するか否かに少なくとも部分的に基づいて、ネットワークノードに前記メッセージを配信することとを含む方法。
［３２］  前記決定することは、前記ゲートウェイが存在することを決定することを含み、前記配信することは、前記基地局の識別子とともに、前記メッセージを前記ゲートウェイに配信することを含む［３１］記載の方法。
［３３］  前記決定することは、前記ゲートウェイが存在しないことを決定することを含み、前記配信することは、前記基地局に前記メッセージを配信することを含む［３１］記載の方法。
［３４］  前記ポジショニングプロトコルは、ロングタームエボリューションポジショニングプロトコルアネックスである［３１］記載の方法。
［３５］  ワイヤレスネットワーク中でポジショニングプロトコルのメッセージをルーティングする装置において、ポジショニングプロトコルのメッセージ中で、基地局に関連するネットワークエリア識別子を受信するようにと、前記ネットワークエリア識別子に少なくとも部分的に基づいて、ゲートウェイが存在するか否かを決定するようにと、前記ゲートウェイが存在するか否かに少なくとも部分的に基づいて、ネットワークノードに前記メッセージを提供するように構成されている少なくとも１つのプロセッサと、前記少なくとも１つのプロセッサに結合されているメモリとを具備する装置。
［３６］  前記少なくとも１つのプロセッサは、前記ゲートウェイが存在することを決定し、前記ネットワークノードは、前記ゲートウェイであり、前記少なくとも１つのプロセッサは、前記基地局の識別子とともに、前記メッセージを前記ゲートウェイに提供する［３５］記載の装置。
［３７］  前記少なくとも１つのプロセッサは、前記ゲートウェイが存在しないことを決定し、前記ネットワークノードは、前記基地局である［３５］記載の装置。
［３８］  前記ポジショニングプロトコルは、ロングタームエボリューションポジショニングプロトコルアネックスである［３５］記載の装置。
［３９］  ワイヤレスネットワーク中でポジショニングプロトコルのメッセージをルーティングする装置において、ポジショニングプロトコルのメッセージ中で、基地局に関連するネットワークエリア識別子を受信する手段と、前記ネットワークエリア識別子に少なくとも部分的に基づいて、ゲートウェイが存在するか否かを決定する手段と、前記ゲートウェイが存在するか否かに少なくとも部分的に基づいて、ネットワークノードに前記メッセージを配信する手段とを具備する装置。
［４０］  前記決定する手段は、前記ゲートウェイが存在することを決定し、前記ネットワークノードは、前記ゲートウェイであり、前記配信する手段は、前記メッセージ中に前記基地局の識別子を含める［３９］記載の装置。
［４１］  前記決定する手段は、前記ゲートウェイが存在しないことを決定し、前記ネットワークノードは、前記基地局である［３９］記載の装置。
［４２］  前記ポジショニングプロトコルは、ロングタームエボリューションポジショニングプロトコルアネックスである［３９］記載の装置。
［４３］  ワイヤレスネットワーク中でポジショニングプロトコルのメッセージをルーティングするコンピュータプログラムプロダクトにおいて、コンピュータ読取可能媒体を具備し、前記コンピュータ読取可能媒体は、少なくとも１つのコンピュータに、ポジショニングプロトコルのメッセージ中で、基地局に関連するネットワークエリア識別子を受信させるためのコードと、前記少なくとも１つのコンピュータに、前記ネットワークエリア識別子に少なくとも部分的に基づいて、ゲートウェイが存在するか否かを決定させるためのコードと、前記少なくとも１つのコンピュータに、前記ゲートウェイが存在するか否かに少なくとも部分的に基づいて、ネットワークノードに前記メッセージを提供させるためのコードとを含むコンピュータプログラムプロダクト。
［４４］  前記少なくとも１つのコンピュータに決定させるためのコードは、前記ゲートウェイが存在することを決定し、前記ネットワークノードは、前記ゲートウェイであり、前記少なくとも１つのコンピュータに提供させるためのコードは、前記基地局の識別子とともに、前記メッセージを前記ゲートウェイに提供する［４３］記載のコンピュータプログラムプロダクト。
［４５］  前記少なくとも１つのコンピュータに決定させるためのコードは、前記ゲートウェイが存在しないことを決定し、前記ネットワークノードは、前記基地局である［４３］記載のコンピュータプログラムプロダクト。
［４６］  前記ポジショニングプロトコルは、ロングタームエボリューションポジショニングプロトコルアネックスである［４３］記載のコンピュータプログラムプロダクト。
［４７］  ワイヤレスネットワーク中でポジショニングプロトコルのメッセージをルーティングする装置において、ポジショニングプロトコルのメッセージ中で、基地局に関連するネットワークエリア識別子を取得するメッセージ受信コンポーネントと、前記ネットワークエリア識別子に少なくとも部分的に基づいて、ゲートウェイが存在するか否かを見分けるゲートウェイ存在決定コンポーネントと、前記ゲートウェイが存在するか否かに少なくとも部分的に基づいて、ネットワークノードに前記メッセージを配信するメッセージルーティングコンポーネントとを具備する装置。
［４８］  前記ゲートウェイ存在決定コンポーネントは、前記ゲートウェイが存在することを見分け、前記ネットワークノードは、前記ゲートウェイであり、前記配信する手段は、前記メッセージ中に前記基地局の識別子を含める［４７］記載の装置。
［４９］  前記ゲートウェイ存在決定コンポーネントは、前記ゲートウェイが存在しないことを見分け、前記ネットワークノードは、前記基地局である［４７］記載の装置。
［５０］  前記ポジショニングプロトコルは、ロングタームエボリューションポジショニングプロトコルアネックスである［４７］記載の装置。
［５１］  ワイヤレスネットワーク中でポジショニング情報を更新するための方法において、ポジショニングサーバから１つ以上のメッセージを受信することと、ポジションに関連する１つ以上のパラメータの修正を検出することと、前記修正された１つ以上のパラメータを含むメッセージを前記ポジショニングサーバに通信することとを含む方法。
［５２］  ワイヤレスネットワーク中でポジショニング情報を更新する装置において、ポジショニングサーバから１つ以上のメッセージを受信するようにと、ポジションに関連する１つ以上のパラメータの修正を検出するようにと、前記修正された１つ以上のパラメータを含むメッセージを前記ポジショニングサーバに通信するように構成されている少なくとも１つのプロセッサと、前記少なくとも１つのプロセッサに結合されているメモリとを具備する装置。
［５３］  ワイヤレスネットワーク中でポジショニング情報を更新する装置において、ポジションに関連する１つ以上のパラメータの修正を検出する手段と、前記修正された１つ以上のパラメータを含むメッセージをポジショニングサーバに通信する手段とを具備する装置。
［５４］  ワイヤレスネットワーク中でポジショニング情報を更新するコンピュータプログラムプロダクトにおいて、コンピュータ読取可能媒体を具備し、前記コンピュータ読取可能媒体は、少なくとも１つのコンピュータに、ポジショニングサーバから１つ以上のメッセージを受信させるためのコードと、前記少なくとも１つのコンピュータに、ポジションに関連する１つ以上のパラメータの修正を検出させるためのコードと、前記少なくとも１つのコンピュータに、前記修正された１つ以上のパラメータを含むメッセージを前記ポジショニングサーバに通信させるためのコードと含むコンピュータプログラムプロダクト。
［５５］  ワイヤレスネットワーク中でポジショニング情報を更新する装置において、ポジションに関連する１つ以上のパラメータの修正を決定するコンフィギュレーション修正検出コンポーネントと、前記修正された１つ以上のパラメータを含むメッセージをポジショニングサーバに送信するポジショニングサーバ通信コンポーネントとを具備する装置。
【図１】
0005551273.tif 000004
【図２】
0005551273.tif 000005
【図３】
0005551273.tif 000006
【図４】
0005551273.tif 000007
【図５】
0005551273.tif 000008
【図６】
0005551273.tif 000009
【図７】
0005551273.tif 000010
【図８】
0005551273.tif 000011
【図９】
0005551273.tif 000012
【図１０】
0005551273.tif 000013
【図１１】
0005551273.tif 000014
【図１２】
0005551273.tif 000015
【図１３】
0005551273.tif 000016
【図１４】
0005551273.tif 000017
【図１５】
0005551273.tif 000018
【図１６】
0005551273.tif 000019
【図１７】
0005551273.tif 000020
【図１８】
0005551273.tif 000021
【図１９】
0005551273.tif 000022